(57)【要約】第１の通信装置１は、第１のサービスを受けるためにユーザによって登録された第１の顧客情報を記憶する。第２の通信装置２は、第２のサービスを受けるためにユーザによって登録された第１の顧客情報を記憶する。第３の通信装置３の送信手段３ａは、第１のサービスを受けることを要求する要求情報をユーザの識別情報と共に第１の通信装置１に送信する。受信手段３ｂは、要求情報の送信に応じて、第１のサービスのユーザ登録に必要な顧客情報を第１の通信装置１から受信する。表示手段３ｃは、第２の顧客情報内にすでに第１のサービスのユーザ登録に必要な顧客情報が含まれていると、ユーザ登録用の入力画面に第２の顧客情報内の顧客情報を表示する。従って複数の通信装置にユーザ登録をする場合にユーザの顧客情報の入力を簡単にすることができる。
2005015421.tif 000002
【特許請求の範囲】
【請求項１】
顧客情報を送受信する通信システムにおいて、
第１のサービスを受けるためにユーザによって登録された第１の顧客情報を記憶する第１の通信装置と、
第２のサービスを受けるためにユーザによって登録された第２の顧客情報を記憶する第２の通信装置と、
少なくとも上記第１の通信装置に接続された第３の通信装置と
を具え、
上記第３の通信装置は、
上記第１の通信装置に対する登録を要求する要求情報をユーザの識別情報と共に上記第１の通信装置に送信する送信手段と、
上記要求情報に応じて、上記第１の通信装置に対するユーザ登録に必要な顧客情報を上記第１の通信装置から受信する受信手段と、
上記第２の顧客情報内にすでに上記ユーザ登録に必要な顧客情報が含まれているとき、上記ユーザ登録をする入力画面に上記第２の顧客情報内の上記顧客情報を表示する表示手段と
を有することを特徴とする通信システム。
【請求項２】
上記受信手段は、
上記第１のサービスの上記ユーザ登録に必要な上記顧客情報を入力するための入力画面を受信する
ことを特徴とする請求の範囲第１項に記載の通信システム。
【請求項３】
上記第１の通信装置と上記第２の通信装置は、
上記第１の顧客情報と上記第２の顧客情報とを定期的に更新して共有する
ことを特徴とする請求の範囲第１項に記載の通信システム。
【請求項４】
上記第２の通信装置は、
上記第１のサービスの上記ユーザ登録に必要な上記顧客情報が上記第２の顧客情報内に登録されているとき、ユーザからの許可に応じて上記第２の顧客情報内の上記顧客情報を上記第１の通信装置に転送する転送手段
を有することを特徴とする請求の範囲第１項に記載の通信システム。
【請求項５】
上記第３の通信装置は、
上記第２のサービスのユーザ登録のときに入力された顧客情報を記憶する記憶手段
を有し、
上記表示手段は、
上記入力画面に上記記憶手段に記憶された上記顧客情報を表示する
ことを特徴とする請求の範囲第１項に記載の通信システム。
【請求項６】
上記第１の通信装置は、
サービス事業者サーバであり、
上記第２の通信装置は、
利用者の情報が登録された管理事業者サーバであり、
上記第３の通信装置は、
利用者の端末装置であり、
上記受信手段は、
上記サービス事業者サーバから返信される情報登録画面を受信し、
上記表示手段は、
上記情報登録画面を表示し、
上記送信手段は、
上記管理事業者サーバに対して登録情報の取得要求を送信し、
上記受信手段は、
上記管理事業者サーバから上記取得要求に応じた登録情報を受信し、
上記表示手段は、
上記受信手段により受信された上記登録情報を上記情報登録画面に対して反映させて表示し、
上記送信手段は、
上記情報登録画面に表示されている上記登録情報を上記サービス事業者サーバに対して送信する
ことを特徴とする請求の範囲第１項に記載の通信システム。
【請求項７】
上記サービス事業者サーバは、
上記情報登録画面を表示するための情報を生成する情報登録画面生成手段
を有することを特徴とする請求の範囲第６項に記載の通信システム。
【請求項８】
上記管理事業者サーバは、
上記端末装置を認証する認証手段
を有することを特徴とする請求の範囲第６項に記載の通信システム。
【請求項９】
上記管理事業者サーバがシングルサインオン認証の認証サーバを兼ねている
ことを特徴とする請求の範囲第６項に記載の通信システム。
【請求項１０】
上記表示手段は、
上記情報登録画面内に上記管理事業者サーバに登録されている利用者情報を引用するか否かを選択するためのボタンを表示する
ことを特徴とする請求の範囲第６項に記載の通信システム。
【請求項１１】
上記表示手段は、
上記情報登録画面を表示した直後に、上記管理事業者サーバに登録されている利用者情報を引用するか否かを選択するための表示を表示する
ことを特徴とする請求の範囲第６項に記載の通信システム。
【請求項１２】
上記端末装置は、
上記情報登録画面に反映された上記登録情報の修正と、上記情報登録画面に反映されなかった情報の入力とが可能とされた入力手段
を有することを特徴とする請求の範囲第６項に記載の通信システム。
【請求項１３】
顧客情報を送受信する通信装置において、
第１のサービスを受けることを要求する要求情報をユーザの識別情報と共に上記第１のサービスを提供する第１の通信装置に送信する送信手段と、
上記要求情報に応じて、上記第１のサービスのユーザ登録に必要な顧客情報を上記第１の通信装置から受信する受信手段と、
第２のサービスを提供する第２の通信装置にすでに上記ユーザ登録に必要な顧客情報が登録されているとき、上記ユーザ登録をする入力画面に上記第２の通信装置で登録されている上記顧客情報を表示する表示手段と
を具えることを特徴とする通信装置。
【請求項１４】
上記第２のサービスのユーザ登録のときに入力された顧客情報を記憶する記憶手段
を具え、
上記表示手段は、
上記入力画面に上記記憶手段に記憶された上記顧客情報を表示する
ことを特徴とする請求の範囲第１３項に記載の通信装置。
【請求項１５】
上記第１の通信装置は、
サービス事業者サーバに対応し、
上記第２の通信装置は、
管理事業者サーバに対応し、
上記通信装置は、
利用者の端末装置に対応し、
上記受信手段は、
上記サービス事業者サーバから返信される情報登録画面を受信し、
上記表示手段は、
上記情報登録画面を表示し、
上記送信手段は、
上記管理事業者サーバに対して登録情報の取得要求を送信し、
上記受信手段は、
上記管理事業者サーバから上記取得要求に応じた登録情報を受信し、
上記表示手段は、
上記受信手段により受信された上記登録情報を上記情報登録画面に対して反映させて表示し、
上記送信手段は、
上記情報登録画面に表示されている上記登録情報を上記サービス事業者サーバに対して送信する
ことを特徴とする請求の範囲第１３項に記載の通信装置。
【請求項１６】
上記表示手段は、
上記情報登録画面内に上記管理事業者サーバに登録されている利用者情報を引用するか否かを選択するためのボタンを表示する
ことを特徴とする請求の範囲第１５項に記載の通信装置。
【請求項１７】
上記表示手段は、
上記情報登録画面を表示した直後に、上記管理事業者サーバに登録されている利用者情報を引用するか否かを選択するための表示を表示する
ことを特徴とする請求の範囲第１５項に記載の通信装置。
【請求項１８】
上記情報登録画面に反映された上記登録情報の修正と、上記情報登録画面に反映されなかった情報の入力とが可能とされた入力手段
を具えることを特徴とする請求の範囲第１５項に記載の通信装置。
【請求項１９】
顧客情報を送受信する通信装置において、
サービスの提供を要求するユーザからユーザ登録に必要な顧客情報を受信する受信手段と、
上記顧客情報を記憶する記憶手段と、
他のサービスを行う通信装置において上記ユーザが上記ユーザ登録を行うとき、上記顧客情報を上記ユーザが使用する通信装置に送信する送信手段と
を具えることを特徴とする通信装置。
【請求項２０】
上記他のサービスを行う通信装置と上記顧客情報を定期的に更新して共有する
ことを特徴とする請求の範囲第１９項に記載の通信装置。
【請求項２１】
上記送信手段は、
上記ユーザからの許可を受けて上記顧客情報を上記他のサービスを行う通信装置に送信する
ことを特徴とする請求の範囲第１９項に記載の通信装置。
【請求項２２】
顧客情報を送受信する通信装置の通信方法において、
第１のサービスを受けることを要求する要求情報をユーザの識別情報と共に上記第１のサービスを提供する第１の通信装置に送信し、
上記要求情報に応じて、上記第１のサービスのユーザ登録に必要な顧客情報を上記第１の通信装置から受信し、
第２のサービスを提供する第２の通信装置にすでに上記ユーザ登録に必要な顧客情報が登録されているとき、上記ユーザ登録をする入力画面に上記第２の通信装置で登録されている上記顧客情報を表示する
ことを特徴とする通信装置の通信方法。
【請求項２３】
顧客情報を送受信する通信装置の通信方法において、
サービスの提供を要求するユーザからユーザ登録に必要な顧客情報を受信し、
上記顧客情報を記憶し、
他のサービスを行う通信装置において上記ユーザが上記ユーザ登録を行うとき、上記顧客情報を上記ユーザが使用する通信装置に送信する
ことを特徴とする通信装置の通信方法。
【請求項２４】
顧客情報を送受信する通信装置の通信プログラムにおいて、
コンピュータに、
第１のサービスを受けることを要求する要求情報をユーザの識別情報と共に上記第１のサービスを提供する第１の通信装置に送信し、
上記要求情報に応じて、上記第１のサービスのユーザ登録に必要な顧客情報を上記第１の通信装置から受信し、
第２のサービスを提供する第２の通信装置にすでに上記ユーザ登録に必要な顧客情報が登録されているとき、上記ユーザ登録をする入力画面に上記第２の通信装置で登録されている上記顧客情報を表示する
処理を実行させることを特徴とする通信装置の通信プログラム。
【発明の詳細な説明】
【技術分野】  本発明は通信システム、通信装置、通信装置の通信方法、及び通信装置の通信プログラムに関し、特に顧客情報を送受信する通信システム、通信装置、通信装置の通信方法、及び通信装置の通信プログラムに関する。
【背景技術】  従来、利用者は、インターネット上のサービス事業者（ＷＷＷサーバ）例えばＥＣ（Ｅｌｅｃｔｒｏｎｉｃ  Ｃｏｍｍｅｒｃｅ：電子商取引）ショップの提供するサービスを利用するために、端末を使用して情報例えば利用者情報を登録する必要があった。利用者は、複数のサービス事業者のサービスの提供を受けようとすれば、同じ情報である個人情報をサービス事業者のそれぞれに対して登録するようになされていた。利用者は、各サービス事業者へ同じ情報を登録するために、同じ情報の入力をサービス事業者の数だけ行う必要があった。
従って、利用者は毎回同じ情報の入力作業を行う必要があり、場合によっては情報量が多くなる場合もあるので、利用者の利便性としては良いものではなかった。
情報登録時の利用者の利便性を向上させるために、インターネット・プロバイダに登録してある利用者の個人情報を、インターネット・プロバイダのシステムが自動的にサービス事業者へデータを送信し、利用者には他の必要な情報の登録作業のみ行わせる方法が考えられる。しかしながら、この方法は、利用者の情報を利用者の意思とは関係なくインターネット・プロバイダがサービス事業者に情報提供するものであり、個人情報保護法等の観点から問題があった。
また、利用者が１回のログインで複数のサービス事業者にアクセス可能なシングルサインオン方式が提案されている。かかるシングルサインオン認証基盤を提供している認証代行事業者と、認証代行事業者と契約している、シングルサインオン認証基盤に対応しているサービス事業者と、認証代行事業者と契約している利用者がある場合、利用者は、認証代行事業者への一度の認証作業のみで、各サービス事業者への認証作業を行うことなくサービスを受ける事はできる。しかしながら、別途、サービス事業者自身が利用者の個人情報等の管理を行っている場合は、利用者が各サービス事業者へ情報登録作業を行う必要があり、シングルサインオン認証基盤を用いていたとしても、利用者の利便性は必ずしも良いものではなかった。
【発明の開示】
本発明はこのような点に鑑みてなされたものであり、通信装置間で顧客情報を送受信してユーザの顧客情報の入力を簡単にすることができる通信システム、通信装置、通信装置の通信方法、及び通信装置の通信プログラムを提供することを目的とする。
本発明では上記問題を解決するために、顧客情報を送受信する通信システムにおいて、第１のサービスを受けるためにユーザによって登録された第１の顧客情報を記憶する第１の通信装置と、第２のサービスを受けるためにユーザによって登録された第２の顧客情報を記憶する第２の通信装置と、少なくとも上記第１の通信装置に接続された第３の通信装置とを備え、上記第３の通信装置は、上記第１のサービスを受けることを要求する要求情報をユーザの識別情報と共に上記第１の通信装置に送信する送信手段と、上記要求情報に応じて、上記第１のサービスのユーザ登録に必要な顧客情報を上記第１の通信装置から受信する受信手段と、上記第２の顧客情報内にすでに上記ユーザ登録に必要な顧客情報が含まれているとき、上記ユーザ登録をする入力画面に上記第２の顧客情報内の上記顧客情報を表示する表示手段とを有することを特徴とする通信システムが提供される。
このような通信システムによれば、ユーザが第３の通信装置から第１のサービスを受けようとして第１の通信装置にユーザ登録をするときに、第２の通信装置に登録されている第２の顧客情報内に、すでに第１のサービスを受けるのに必要な顧客情報が含まれていると、ユーザ登録をする入力画面に第２の顧客情報内の顧客情報を表示する。
本発明の通信システムでは、ユーザが第３の通信装置から第１のサービスを受けようとして第１の通信装置にユーザ登録をするとき、第３の通信装置のユーザ登録をする入力画面に第２の通信装置に登録されている第２の顧客情報内の顧客情報を表示するようにした。これにより、ユーザの顧客情報の入力を簡単にすることができる。
すなわち、この発明の第１の効果は、利用者が各サービス事業者へ同じ情報を登録する場合、何度も同じ情報を入力しなくて済み、利用者の利便性が大幅に向上する事である。従来方式では、各サービス事業者へ毎回同じ情報を入力しなければならず、利用者の利便性はよくなかった。
また第２の効果は、全く異なる事業者間であっても、この発明による情報入力支援方法が適用でき、利用者の利便性を向上できる事である。例えば、利用者、情報管理事業者、サービス事業者が利用者の利便性を向上するためにシングルサインオン認証方式を採用していた場合、情報管理事業者とサービス事業者の間では相互に認証されているため、システムとしては利用者の情報を相互に自動交換する事ができる。しかしながら、ビジネス・サービスとしては、個人情報保護法もあるため、情報の相互交換を行う事はできない。この発明においては、一度利用者が各サービス事業者へ情報を登録するか否かを判断しており、あくまで利用者の意思の下に行われる作業であるため、法的にも問題がない。
さらに第３の効果は、各サービス事業者への利用者の情報登録を、利用者に促す事である。通常、サービス事業者への登録する情報量が多すぎる場合、利用者はその登録する情報量の多さに驚き、情報登録作業に時間がかかるという事実に参ってしまい、利用者は情報の登録作業を途中で止めてしまうか、全く行わずにサービス事業者への接続を止めてしまう場合がある。しかし、この発明を適用する事により、各サービス事業者毎に一意な情報の入力だけで済むようになり、各サービス事業者へ情報登録を行う時に持つ利用者の心理的な障壁を低くする事ができる。このため、従来よりもより多くの利用者がサービス事業者へ情報登録を行う事に貢献する事ができる。
【図面の簡単な説明】  図１は、この発明の一実施形態のシステム構成を示すブロック図である。
図２は、この発明の一実施形態におけるユーザインタフェース画面の遷移を説明する略線図である。
図３は、この発明の一実施形態の処理の流れを説明するフローチャートである。
図４は、この発明の他の実施形態におけるユーザインタフェース画面の遷移を説明する略線図である。
図５は、この発明の他の実施形態の処理の流れを説明するフローチャートである。
図６は、本発明の原理を説明する原理図である。
図７は、本発明の実施の形態に係るネットワークシステムを示す図である。
図８は、端末装置の外観を示す図である。
図９は、端末装置のハードウェアブロック図である。
図１０は、端末装置のプログラムモジュール構成を示す図である。
図１１は、総合サービスサーバのハードウェアブロック図である。
図１２は、ユーザの許可を得て、一方のサーバから他方のサーバへ顧客情報をコピーする処理の流れを示したフローチャートである。
図１３は、コピー確認画面を示した図である。
図１４は、顧客情報の入力支援の処理の流れを示したフローチャートである。
図１５は、ペースト確認画面を示した図である。
図１６は、サービスのコラボレーションを説明する図である。
図１７は、クライアント端末の機能回路ブロックによるハードウェア構成を示すブロック図である。
図１８は、ディレクトリ構成を示す略線図である。
図１９は、ポータルサーバの機能回路ブロックによるハードウェア構成を示すブロック図である。
図２０は、音楽データ配信サーバの機能回路ブロックによるハードウェア構成を示すブロック図である。
図２１は、クライアント端末及びポータルサーバ間のユーザ認証処理手順を示すシーケンスチャートである。
図２２は、クライアント端末及び音楽データ配信サーバ間のユーザ認証処理手順を示すシーケンスチャートである。
図２３は、第１の情報登録処理手順を示すシーケンスチャートである。
図２４は、第２の情報登録処理手順を示すシーケンスチャートである。
図２５は、第３の情報登録処理手順を示すシーケンスチャートである。
図２６は、第４の情報登録処理手順を示すシーケンスチャートである。
【符号の説明】
２１０……情報管理事業者、２２０……サービス事業者、２５０……情報通信ネットワーク、３００……端末、３１０……情報管理サーバ、３２０……サービス事業者サーバ、１……第１の通信装置、２……第２の通信装置、３……第３の通信装置、３ａ……送信手段、３ｂ……受信手段、３ｃ……表示手段、１１、３５ａ……ＣＰＵ、１２……バス、１３……ＲＯＭ、１４……入力処理部、１５……操作入力部、１６……表示処理部、１７……表示装置、１９ａ、２０、３５ｂ……ＲＡＭ、２１、３５ｃ……ＨＤＤ、２２……通信処理部、２３……ネットワークインタフェース、３０……ネットワーク、３１……ＣＤタイトル情報提供サーバ、３２……放送局サーバ、３３……音楽配信サーバ、３４……ＣＤショップサーバ、３５……総合サービスサーバ、１００２……クライアント端末、１００３……ポータルサーバ、１００４……音楽データ配信サーバ、１０２３、１０５０、１０７０……制御部、１０２４……表示制御部、１０３２、１０５２、１０７２……通信制御部、１０３７、１０５６、１０７５……認証処理部、１０３８、１０５７、１０７７……認証情報記憶部、１０５４、１０７４……顧客データベース部
【発明を実施するための最良の形態】  以下、この発明の実施形態について図面を参照して説明する。
（１）第１の実施の形態
図１に示すように、この発明の一実施形態では、利用者２００，情報管理事業者２１０，サービス事業者２２０の３つの要素からなるビジネスモデルを想定し、次の要素数，役割の関係からなるビジネスモデル構成を想定する。
１．要素数：
「利用者２００  ：情報管理事業者２１０  ：サービス事業者２２０  ＝  ｍ：１：ｎ」
２．役割：
１）利用者２００
利用者２００は、情報通信ネットワーク２５０を通じて、サービス事業者２２０が提供するサービスを受ける事ができる役割を持つ。利用者２００は、サービス事業者２２０と契約する事で、サービスを受ける事が可能である。
２）情報管理事業者２１０
情報管理事業者２１０は、利用者２００が最初に利用者情報を登録する必要のある事業者である。情報管理事業者２１０とサービス事業者２２０の契約関係は、特になくてもよい。情報管理事業者２１０には、インターネット・プロバイダ，通信事業者が想定され、様々なサービス事業者２２０や利用者２００との契約をし、サービス事業者２２０と利用者２００同士が個別に直接契約しなくとも、サービス事業者２２０が利用者２００へサービスを提供できる環境を提供する。この環境には、シングルサインオン認証の提供等も含まれる。情報管理事業者２１０には、ポータルサイト運営事業者等も含む。
シングルサインオン認証システムでは、情報管理事業者２１０が利用者の認証情報に対する認証サーバとしての機能を有し、サービス事業者２２０が端末３００から受け取った利用者の認証情報（ユーザＩＤ情報、パスワード情報等）又は認証情報に対応した情報の正当性について、情報管理事業者２１０に問い合わせ、その結果に応じてサービス事業者２２０がサービスを提供するか否かを決定する。その際に、サービス事業者２２０が情報管理事業者２１０によって認証される。
３）サービス事業者２２０
サービス事業者２２０は、利用者２００へサービスそのものを提供する役割を持つ事業者である。サービス事業者２２０は、利用者２００と個別に契約を行う事で、利用者２００へサービスの提供が可能とされる。但し、情報管理事業者２１０が多数の利用者２００と契約を行っており、情報管理事業者２１０がＳＳＯ認証サービスの提供等も行っている通信事業者やポータルサイト運営事業者である場合には、情報管理事業者２１０との契約のみで、利用者２００へサービスを提供する事も可能である。
次に、このビジネスモデルを実現するためのシステム構成を想定する。個別要素，要素数，役割は次の通りである。尚、必要に応じて、図２，図３，図４，図５を用いて説明する。
１．要素数：
「端末３００  ：情報管理サーバ３１０  ：サービス事業者サーバ３２０  ＝  ｍ：１：ｎ」。
２．役割：
１）端末３００
端末３００は、利用者２００がサービスを受けるために必要な情報通信ネットワーク２５０に接続されたシステム，プログラム，装置である。この発明では、次の端末機能等を持つようにされる。
（ａ）端末３００は、図２における情報引用ボタン３５０の押下や、図４の情報引用選択ボタン３６０の［はい］ボタンの押下をトリガーとして情報管理サーバ３１０から登録情報を取得する機能、情報引用ボタン３５０，情報引用選択ボタン３６０の機能を持つもの。
（ｂ）端末３００は、（ａ）で取得した情報を情報登録画面３７０の情報入力欄３８０へ自動反映できる機能を持つもの。尚、自動反映する情報は、事前に選択・チェック等をする事により選択可能である。
（ｃ）端末３００は、（ｂ）で自動反映された項目の修正と、自動反映されなかった情報の、情報入力欄３８０への入力・修正機能を持つもの。
（ｄ）端末３００は、この発明による情報入力支援機能を用いた、サービス事業者への情報登録機能を持つもの。
２）情報管理サーバ３１０
情報管理サーバ３１０は、情報管理事業者２１０が持ち、端末３００から受けた登録情報を管理するために必要となる情報通信ネットワーク２５０に接続されたシステム，プログラム，装置である。この発明においては、次の情報管理サーバ機能等を持つものが対象となる。
（ａ）情報管理サーバ３１０は、端末３００から受け取った利用者２００の情報を登録し、情報を保持・管理する機能を持つもの。
（ｂ）情報管理サーバ３１０は、当該情報管理サーバ３１０へ登録されている利用者２００の情報の引用要求を端末３００から受け、この要求に対し、利用者２００の登録情報を端末３００へ返却（送信）する機能を持つもの。
（ｃ）情報管理サーバ３１０は、端末３００が当該情報管理サーバ３１０へ接続に来たとき、端末３００を使っている利用者２００や端末３００に対する認証機能を持つもの。尚、認証の形式は問わない。
３）サービス事業者サーバ３２０
サービス事業者サーバ３２０は、サービス事業者２２０が利用者２００へサービスを提供するために必要な情報通信ネットワーク２５０に接続されたシステム，プログラム，装置である。但し、この発明においては、次のサービス事業者サーバ機能等を持つものが対象となる。
（ａ）サービス事業者サーバ３２０は、図２で説明される情報引用ボタン３５０，又は情報引用ボタン３５０に準ずるボタン等を持つ情報登録画面３７０を端末３００上で表示するために必要な情報を生成し、端末３００へ送信する機能を持つもの。
（ｂ）サービス事業者サーバ３２０は、図４で説明される情報引用選択ボタン３６０，又は情報引用選択ボタン３６０に準ずるボタン等を持つ情報引用選択画面３９０，又は情報登録画面３７０を、端末３００上で表示するために必要な情報を生成し、端末３００へ送信する機能を持つもの。
４）情報通信ネットワーク２５０
情報通信ネットワーク２５０は、端末３００，情報管理サーバ３１０，サービス事業者サーバ３２０を相互に接続するために必要なこの発明が実現可能なネットワークであり、インターネット又はイントラネットである。
上述したこの発明の一実施形態の動作について、図１を参照して説明する。その後、図２以降の図面を用いて動作の詳細について説明する。また、ここで説明している通信路はセキュリティの観点から一部又は全て暗号化されている場合もある。
１．利用者２００がサービス事業者２２０に対して情報登録を行う時、サービス事業者２２０から送信された情報によって、端末３００上に情報登録画面３７０が表示される。そして、利用者２００が情報管理事業者２１０に登録している情報をサービス事業者２２０への情報登録のために引用入力するかどうかの判断を行う。
２．ユーザは、サービス事業者２２０への情報登録のために情報を引用入力すると判断した場合は、図２における情報引用ボタン３５０を押す。情報引用ボタン３５０を押すと、端末３００が情報管理サーバ３１０へ必要な情報を取得しにいくため、端末３００上の情報登録画面３７０に情報が引用・自動入力されるまで待つ。尚、ここでは、登録されている情報の内で引用入力する情報を利用者２００が個別に選択する事もできる。情報引用ボタン３５０等を押さない場合は、サービス事業者２２０に対して登録が必要な情報の入力を利用者２００が行い、端末３００を使ってサービス事業者サーバ３２０へ情報を送信する。
３．端末３００は、情報登録画面３７０に情報が引用・自動入力されたら、必要な情報であって、引用・自動入力されなかった情報のみを利用者２００が入力し、端末３００を使ってサービス事業者サーバ３２０へ情報を送信する。
４．端末３００から必要な情報を受けたサービス事業者サーバ３２０は、情報の登録処理を実行し、その結果を端末３００へ返却（送信）する。
この発明の一実施形態の動作について図２及び図３を参照して説明する。尚、図３中に書かれている（Ａ１０）のような参照符号は、それぞれの動作に対応して振られたものである。これら１つずつの動作が全て組み合わされる事により、この発明の一実施形態が実現される事になる。
図２は、一実施形態におけるユーザインタフェース画面遷移イメージを示し、図３は、あるサービス事業者に対する利用者情報登録を行う場合の処理の流れを示す。
１．端末３００は、サービス事業者２２０に対して利用者２００が情報登録を行う場合に必要とされる情報登録画面３７０を表示する（ステップＡ１０）。情報登録画面３７０は、情報入力欄３８０として、メールアドレス、パスワード、氏名、住所、電話番号を入力する欄を有する。図２Ａに示すように、初期画面は、情報入力欄３８０に対して何ら入力項目が表示されていない。また、画面の一部に情報引用ボタン３５０が表示されている。
２．利用者２００が情報管理事業者２１０に登録している情報を、サービス事業者２２０に対する情報登録のために、引用入力するかどうかを判断する。（ステップＡ１１）。
３．サービス事業者２２０への情報登録のために、情報を引用入力すると判断した場合は、利用者２００が図２における情報引用ボタン３５０を押す（ステップＡ１２）。情報引用ボタン３５０を押さない場合は、ステップ（Ａ１２）〜（Ａ１５）が飛ばされ、ステップ（Ａ１６）へ処理が進む。この場合では、全ての又は必須の情報入力欄３８０を埋めるように、利用者２００が入力操作を行う。
４．利用者２００による情報引用ボタン３５０の押下を受けた端末３００は、情報管理サーバ３１０へ登録されている情報を取得するために、情報管理サーバ３１０に対して、利用者２００の登録情報の取得要求を送信する（ステップＡ１３）。
５．利用者２００の登録情報の取得要求を端末３００から受けた情報管理サーバ３１０は、情報管理サーバ３１０自身が記憶・保持している利用者２００の情報を検索し、端末３００に対して利用者２００の登録情報を返信する（ステップＡ１４）。尚、端末３００から情報管理サーバ３１０に対する接続は、ユーザ認証情報を入力することでなされ、情報管理サーバ３１０がこの接続に対して認証を行い、認証が成立した場合にのみ利用者２００の登録情報が端末３００に返信される。
６．端末３００は、情報管理サーバ３１０からの返信を受けた情報を、情報登録画面３７０へ自動入力・反映し、必要であれば、情報登録画面３７０の再表示を行う（ステップＡ１５）。図２Ｂが自動入力・反映後の情報登録画面３７０を示す。情報入力欄３８０が自動入力・引用情報１３０によって殆ど記入されている。
７．情報登録画面３７０へのシステムによる情報引用・自動入力を確認した利用者２００は、情報引用・自動入力後に残った未入力の情報を情報入力欄３８０に対して入力し、登録実行を端末３００に対して指示する（ステップＡ１６）。図２Ｂに示すように、例えばパスワードの入力欄以外が自動入力・引用情報４００とされている。従って、利用者２００は、パスワードの入力のみで会員又は顧客登録のための情報入力作業が完了する。
８．登録実行の指示を受けた端末３００は、利用者２００を登録するための情報と情報登録要求を、サービス事業者サーバ３２０へ送信する（ステップＡ１７）。
９．端末３００からの要求と登録するための情報を受けたサービス事業者サーバ３２０は、情報の登録処理を実行する（ステップＡ１８）。
上述した一実施形態において、ステップＡ１７、Ａ１８において情報管理サーバ３１０から受信する登録情報のフォーマットとサービス事業者サーバ３２０が要求する登録情報フォーマットが同一である場合と、異なる場合とについて述べる。
これらのフォーマットを同一とするために、サービス事業者サーバ３２０が、情報管理サーバ３１０が規定した登録情報フォーマットに自身のものを合わせる方法がまず考えられる。逆に情報管理サーバ３１０が、各サービス事業者サーバ３２０が規定した登録情報フォーマットに自身のものを合わせることもあり得る。この場合には、ステップＡ１３において端末３００は、この先に利用予定のサービス事業者サーバ３２０を識別できる識別情報を併せて送信する必要がある。そして、ステップＡ１４において情報管理サーバ３１０は、利用予定のサービス事業者サーバ３２０に応じたフォーマットの登録情報を端末３００に対して返信する。
端末３００は、これらのフォーマットが異なる場合、情報管理サーバ３１０から受信した登録情報画面とサービス事業者サーバ３２０から要求された登録情報画面の２画面を表示させ、利用者の判断に基づき当該端末３００上でコピー＆ペーストを行うという方法を使用できる。
あるいは、端末３００に対して、情報管理サーバ３１０から受信した登録情報をサービス事業者サーバ３２０が要求する登録情報にフォーマット変換する整合機能を持たせてもよい。この場合、端末３００は、利用予定のサービス事業者サーバ３２０が要求する登録情報フォーマットをあらかじめ把握しておく必要がある。又は、ステップＡ１７において、送信した会員登録要求に対する応答として、サービス事業者サーバ３２０から登録情報フォーマットを受信した後に、それに応じて登録情報をフォーマット変換し、サービス事業者サーバ３２０へ送信するという方法も可能である。
いずれの場合でも、ステップＡ１７において、端末３００がサービス事業者サーバ３２０に対して会員登録要求と共に登録情報フォーマットを送信することになる。尚、登録情報フォーマットとは、あくまでも通信プロトコルにおけるデータフォーマットを意味しており端末３００、情報管理サーバ３１０、サービス事業者サーバ３２０の各々におけるデータ記憶方法については任意である。
次に、この発明の他の実施形態について、図４及び図５を参照して説明する。図４は、他の実施形態におけるユーザインタフェース画面遷移イメージを示し、図５は、あるサービス事業者２２０に対する利用者情報登録を行う場合の処理の流れを示す。
１．端末３００は、サービス事業者２２０に対して利用者２００が情報登録を行う場合に必要とされる情報登録画面３７０を表示する（ステップＡ２０）。情報登録画面３７０は、情報入力欄３８０として、メールアドレス、パスワード、氏名、住所、電話番号を入力する欄を有する。図４Ａに示すように、初期画面は、情報入力欄３８０に対して何ら入力項目が表示されていない。
２．端末３００は、この情報登録画面３７０に対して利用者２００が入力を開始する前で、情報登録画面３７０を表示した直後に、さらに情報引用選択画面３９０も表示し（図４Ｂ参照）、利用者２００へ情報管理事業者２１０に登録されている情報を引用するかの判断を促す（ステップＡ２１）。
３．利用者２００が、情報管理事業者２１０に登録している情報をサービス事業者２２０への情報登録のために、引用入力するかどうかの判断を行う（ステップＡ２２）。
４．ステップＡ２２において、サービス事業者２２０への情報登録のために、情報を引用入力すると判断した場合は、利用者２００が図４Ｂに示される情報引用選択画面３９０における情報引用選択ボタン３６０の内の［はい］を押す（ステップＡ２３）。情報引用選択ボタン３６０の内の［はい］を押さない場合は、［いいえ］を押し（ステップＡ２４）、ステップＡ２５〜Ａ２７が飛ばされ、ステップＡ２８へ処理が進む。
５．利用者２００による情報引用選択ボタン３６０の内の［はい］の押下を受けた端末３００は、情報管理サーバ３１０に登録されている情報を取得するために、情報管理サーバ３１０に対して、利用者２００の登録情報の取得要求を送信する（ステップＡ２５）。
６．利用者２００の登録情報の取得要求を端末３００から受けた情報管理サーバ３１０は、情報管理サーバ３１０自身が記憶・保持している利用者２００の情報を検索し、端末３００に対して利用者２００の登録情報を返信する（ステップＡ２６）。尚、端末３００から情報管理サーバ３１０に対する接続は、ユーザ認証情報を入力することでなされ、情報管理サーバ３１０がこの接続に対して認証を行い、認証が成立した場合にのみ利用者２００の登録情報が端末３００に返信される。
７．端末３００は、情報管理サーバ３１０からの返信を受けた情報を、情報登録画面３７０へ自動入力・反映し、必要であれば、情報登録画面３７０の再表示を行う（ステップＡ２７）。図４Ｃが自動入力・反映後の情報登録画面３７０を示す。情報入力欄３８０が自動入力・引用情報４００によって殆ど記入されている。
８．情報登録画面３７０へのシステムによる情報引用・自動入力を確認した利用者２００は、情報引用・自動入力後に残った未入力の情報入力欄３８０に対して入力を行い、登録実行を端末３００に対して指示する（ステップＡ２８）。図４Ｃに示すように、例えばパスワードの入力欄以外が自動入力・引用情報４００とされている。従って、利用者２００は、パスワードの入力のみで会員又は顧客登録のための情報入力作業が完了する。
９．登録実行の指示を受けた端末３００は、利用者２００を登録するための情報と情報登録要求を、サービス事業者サーバ３２０へ送信する（ステップＡ２９）。
１０．端末３００からの要求と登録するための情報を受けたサービス事業者サーバ３２０は、情報の登録処理を実行する（ステップＡ３０）。
この発明は、上述したこの発明の一実施形態等に限定されるものでは無く、この発明の要旨を逸脱しない範囲内で様々な変形や応用が可能である。例えば情報管理サーバ３１０が端末３００へ返信した登録情報に対し、当該返信した時点からサービス事業者サーバ３２０に送信されるまでの比較的短時間の有効期間を設定しても良い。
（２）第２の実施の形態
図６は、本発明の原理を説明する原理図である。図６に示すように、第３の通信装置３は、送信手段３ａ、受信手段３ｂ、及び表示手段３ｃを有している。第３の通信装置３は、第１の通信装置１、第２の通信装置２と通信することができる。
第１の通信装置１は、第３の通信装置３を使用するユーザに第１のサービスを提供する。第１の通信装置１は、第１のサービスを受けるためにユーザによって登録された第１の顧客情報を記憶する。
第２の通信装置２は、第３の通信装置３を使用するユーザに第２のサービスを提供する。第２の通信装置２は、第２のサービスを受けるためにユーザによって登録された第１の顧客情報を記憶する。
第３の通信装置３は、第１の通信装置１、第２の通信装置２と接続されている。第３の通信装置３の送信手段３ａは、第１のサービスを受けることを要求する要求情報をユーザの識別情報と共に第１の通信装置１に送信する。受信手段３ｂは、要求情報を送信したことにより、第１のサービスのユーザ登録に必要な顧客情報を第１の通信装置１から受信する。表示手段３ｃは、例えば、ユーザが第２のサービスのユーザ登録を行っていたことにより、第２の通信装置２の第２の顧客情報内にすでに第１のサービスのユーザ登録に必要な顧客情報が含まれているとき、ユーザ登録をする入力画面に第２の顧客情報内の顧客情報を表示する。
以下、原理図の動作について説明する。第３の通信装置３を使用するユーザは、すでに第２の通信装置２にユーザ登録をしているとする。
ユーザは、第１のサービスを受けるのに、第１のサービスを受けることを要求する要求情報を、ユーザの識別情報と共に第１の通信装置１に送信する。
第１の通信装置１は、第３の通信装置３の要求情報により、第１のサービスの登録に必要な顧客情報を第１の通信装置１に送信する。
第３の通信装置３の受信手段３ｂは、第１の通信装置１から第１のサービスの登録に必要な顧客情報を受信する。
第３の通信装置３の表示手段３ｃは、第２の顧客情報内に、すでに第１のサービスのユーザ登録に必要な顧客情報が含まれているとき、ユーザ登録をする入力画面に、第２の顧客情報の顧客情報を表示する。
このように、第１のサービスの登録に必要な顧客情報のうち、第２の顧客情報内に含まれているものは、ユーザ登録をする入力画面に表示されるので、ユーザは、残りの顧客情報を入力すればよく、顧客情報の入力を簡単にすることができる。
次に本発明の実施の形態を図面を参照して詳細に説明する。以下、楽曲又は楽曲集合の情報を二次記憶装置に保存する処理を、クリップと呼ぶこととする。また、クリップによって保存された情報を、クリップ情報と呼ぶこととする。
図７は、本発明の実施の形態に係るネットワークシステムを示す図である。端末装置１０、総合サービスサーバ３５は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４等である。
ＣＤタイトル情報提供サーバ３１は、市販されているＣＤの楽曲情報の配信サービスを行う。放送局サーバ３２は、ＦＭ放送やテレビ（ＴＶ）放送等の放送局が管理するサーバである。そして放送局サーバ３２は、放送される番組情報、ナウオンエア、すでに放送した楽曲の関連情報であるオンエアリスト（ＯｎＡｉｒＬｉｓｔ）の提供サービスを行う。音楽配信サーバ３３は、楽曲のディジタルデータを配信するサービスを行うサーバである。ＣＤショップサーバ３４は、ＣＤの通信販売のための注文受け付け等を行うサーバであり、試聴用の音声データ等の配信サービスも行う。
これらの各サーバは、ネットワーク３０上の楽曲又は楽曲集合に関する情報の提供サービスを行っている。すなわち、各サーバが、ネットワーク３０上の楽曲又は楽曲集合のソースとして機能している。
なお、図７に示したサーバは、楽曲又は楽曲集合のソースをネットワーク３０を介して提供する装置の一例である。すなわち、ネットワーク３０上で楽曲又は楽曲集合のソースを他の装置からアクセスしている装置であれば、ネットワーク３０上の楽曲又は楽曲集合のソースとして機能することができる。
また、音楽配信サーバ３３とＣＤショップサーバ３４は、楽曲購入可能サーバであり、楽曲の音声データや楽曲の集合の音声データをオンラインで販売する機能を備えている。ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から音声データをダウンロードできる。また、端末装置１０のユーザは、ＣＤショップサーバ３４に対して購入手続きを行うことで、自宅にＣＤを宅配してもらうことが可能となる。
端末装置１０は、ＣＤ２９ａ、ＭＤ（Ｍｉｎｉ  Ｄｉｓｃ、商標）２９ｂ、ハードディスクドライブ（ＨＤＤ）２１等の記録媒体に、ローカル上の楽曲又は楽曲の集合のソースを保持している。これらのソースは端末装置１０の種類、目的により異なる。
なお、図７に示したローカル上の楽曲又は楽曲の集合のソースは一例である。すなわち、端末装置１０は、当該端末装置１０のローカルに存在する記録媒体であれば、かかる記録媒体に対して楽曲又は楽曲集合を記録することで、その記録媒体をローカル上の楽曲又は楽曲の集合のソースとして機能させることができる。
また、端末装置１０は、クリップしたクリップ情報を記憶するクリップ情報記憶装置２１ａを備えている。クリップ情報記憶装置２１ａは、端末装置１０の二次記憶装置である。例えば、端末装置１０は、ＨＤＤ２１等の記憶領域の一部を、クリップ情報記憶装置２１ａとして機能させることができる。
ところで、本実施の形態における端末装置１０は、楽曲の再生機能を有するオーディオ機器としての機能を兼ね備えている。
図８は、端末装置の外観を示す図である。図８に示すように、本実施の形態に係る端末装置１０は、一般的なシステムコンポと同様の外観をしている。端末装置１０は、装置本体１０ａ、スピーカ２５ａ，２５ｂ、及びリモートコントローラ４０で構成される。装置本体１０ａには、ＣＤの再生機能、ＭＤの録音再生機能、及びＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の楽曲情報や、クリップによって保存されたクリップ情報等が表示される。
リモートコントローラ４０は、装置本体１０ａを遠隔操作するための入力装置である。リモートコントローラ４０には複数の操作キーが設けられている。リモートコントローラ４０は、ユーザによって操作キーが押されると、赤外線等の無線の通信手段により、押された操作キーに応じた信号を装置本体１０ａに送信する。
操作キーとしては、方向キー４１ａ〜４１ｄ，決定キー４２、ファンクション選択キー４３ａ〜４３ｃ、ツールキー４４、戻るキー４５等がある。
方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。
ファンクション選択キー４３ａ〜４３ｃは、機能の選択に使用される。例えば、３つのファンクション選択キー４３ａ〜４３ｃは、それぞれ付加機能、チューナ機能、ローカルコンテンツ管理機能に対応付けられている。そして、ファンクション選択キーが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ユーザが方向キー４１ａ〜４１ｄを操作して任意のコマンドを選択し、さらに決定キー４２を押すことで、選択されたコマンドに応じた処理が装置本体１０ａ内で実行される。
戻るキー４５は、表示装置１７の表示内容を、直前の状態に戻すためのボタンである。
なお、リモートコントローラ４０には、図８に示したもの以外にも様々な操作キーを設けることができる。例えば、かかる操作キーとしては、音量調節キー、ＣＤの再生キー、停止キー等がある。
次に、端末装置１０の内部構成を説明する。
図９は、端末装置のハードウェアブロック図である。図９に示すような端末装置１０により、楽曲等の様々なソースを管理、記録、再生が可能となる。
ＣＰＵ（Ｃｅｎｔｒａｌ  Ｐｒｏｃｅｓｓｉｎｇ  Ｕｎｉｔ）１１は、起動されたプログラムに基づいて端末装置１０の全体の制御、演算処理を行う。例えばネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索等を行う。なお、本実施の形態の端末装置１０が対応する記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ（Ｒａｎｄｏｍ  Ａｃｃｅｓｓ  Ｍｅｍｏｒｙ）２０には、ＣＰＵ１１が実行すべきプログラムが展開される。また、ＲＡＭ２０は、ＣＰＵ１１が各種処理を実行する際において必要となるデータ領域、タスク領域としても用いられる。
操作入力部１５は、端末装置１０の筐体に設けられた操作キーやジョグダイヤル、タッチパネル等の各種操作子等を有する。なお、端末装置１０には、ＧＵＩ（Ｇｒａｐｈｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示制御部１６には、表示装置１７として、例えば液晶ディスプレイ等の表示デバイスが接続されている。そして表示装置１７には各種情報が表示される。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された楽曲情報の内容や、クリップ情報の内容が表示される。また、表示装置１７には、ネットワーク３０を介した楽曲の検索が行われた場合、検索結果が表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、又は再生可能な記録媒体の種類は、１種類とは限らない。すなわち、メディアドライブ１９ａ，１９ｂは、複数の種類の記録媒体に対して記録、再生を行うことも可能である。例えば、メディアドライブ１９ａがＣＤ、ＤＶＤの再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。例えば、かかる記録媒体としては、コンテンツを格納したフラッシュメモリ等の半導体メモリにより構成された記録媒体を用いることができる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤ等）を挿入し、リモートコントローラ４０に対して所定の操作を行うことで、楽曲を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４は、オーディオデータに対し、イコライジング等の音場処理や音量調整、Ｄ／Ａ変換、増幅等の処理を施し、スピーカ部２５から出力する。なお、スピーカ部２５は、図８に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。かかるコンテンツは、ＨＤＤ２１の容量を節約するために、所定方式に従って圧縮処理が施された形式の圧縮オーディオデータとされてもよい。また、圧縮方式は何ら限定されるものではないが、ＡＴＲＡＣ（Ａｄｖａｎｃｅｄ  ＴＲａｎｓｆｏｒｍ  Ａｃｏｕｓｔｉｃ  Ｃｏｄｉｎｇ、商標）方式やＭＰ３（ＭＰＥＧ  Ａｕｄｉｏ  Ｌａｙｅｒ−３）方式、ＡＡＣ（Ａｄｖａｎｃｅｄ  Ａｕｄｉｏ  Ｃｏｄｉｎｇ）方式、ＷＭＡ（Ｗｉｎｄｏｗｓ  Ｍｅｄｉａ  Ａｕｄｉｏ）方式、ＲｅａｌＡＵＤＩＯ  Ｇ２  Ｍｕｓｉｃ  Ｃｏｄｅｃ方式等を採用することができる。
チューナ部２７は、例えばＡＭ・ＦＭラジオチューナであり、ＣＰＵ１１の制御に基づいてアンテナ２６で受信された放送信号を復調する。もちろんチューナ部２７は、テレビチューナや衛星放送チューナ、デジタル放送チューナ等としてのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データをネットワーク３０を介して所定の外部ネットワーク対応機器に送信する。また、ネットワークインタフェース２３は、ネットワーク３０を在介して外部ネットワーク対応機器から送信されてきた信号を通信処理部２２に受け渡す。通信処理部２２は受信した情報をＣＰＵ１１に転送する。ネットワーク３０を介して受信する情報には、例えば、ＦＭ等で放送中の番組の楽曲情報や、ＣＤ等のタイトルに含まれる楽曲の情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
なお、端末装置１０の構成は、この図９の構成に限られるものではなく、更に多様に考えられる。例えば端末装置１０には、ＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈ等の通信方式による周辺機器とのインタフェースを設けるようにしてもよい。そして、端末装置１０は、上記ネットワークインタフェース２３によりネットワーク３０を介してダウンロードしたオーディオのコンテンツや、上記ＵＳＢ、ＩＥＥＥ１３９４等のインタフェースを経由して転送されてきたオーディオのコンテンツについても、ＨＤＤ２１に対して記憶させることができる。また端末装置１０には、マイクロホンや外部のヘッドホンの接続に用いられる端子や、ＤＶＤ再生時に対応するビデオ出力端子、ライン接続端子、光デジタル接続端子等を設けてもよい。また、端末装置１０は、ＰＣＭＣＩＡスロット、メモリカードスロット等が形成され、外部の情報処理装置やオーディオ機器とデータのやりとりが可能とされてもよい。
図１０は、端末装置のプログラムモジュール構成を示す図である。図１０に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、各種総合サービスを行う総合サービスサーバ３５、インターネットラジオサーバ３６、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、及び総合サービスサーバ３５等の各種サーバとの間のやりとりをＨＴＴＰ通信で行うものである。コミュニケータプログラム１１２は、総合サービスサーバ３５等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護管理モジュール１１４が位置する。コンテンツ再生モジュール１１３の上位には、インターネットラジオの選局及び再生を行うインターネットラジオ選局再生モジュール１１８が設けられている。著作権保護管理モジュール１１４の上位には、楽曲購入及び試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入処理され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３５やその他の各種サーバの認証処理を行う。
さらにコミュニケータプログラム１１２の上位には、データベースアクセスモジュール１１５、コンテンツデータアクセスモジュール１１６及びハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、及び楽曲購入再生モジュール１１９が設けられている。関連情報表示モジュール１２０は、ラジオ局が放送した楽曲のタイトル及びアーティスト名を表示装置１７に表示する。チューナ選局再生／録音モジュール１２１は、ラジオ局を選局したり、当該ラジオ局から受信した楽曲のコンテンツをＨＤＤ２１に録音したりする。
例えば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
関連情報表示モジュール１２０は、チューナ選局再生／録音モジュール１２１によって現在ラジオ局が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれている。そしてＣＤ再生モジュール１４１やＨＤＤ再生モジュール１４２は、ＣＤやＨＤＤからの再生結果をオーディオデータ処理部２４及びスピーカ部２５を介して出力する。
このような構成の端末装置１０において、サーバから関連情報を取得し、その関連情報をクリップすることができる。なお、クリップと同時に、楽曲の検索や購入処理を行うこともできる。
次に、総合サービスサーバ３５の内部構成を説明する。
図１１は、総合サービスサーバのハードウェアブロック図である。図１１に示す総合サービスサーバ３５は、ＣＰＵ３５ａによって装置全体が制御されている。ＣＰＵ３５ａには、バス３５ｇを介してＲＡＭ３５ｂ、ハードディスクドライブ３５ｃ、グラフィック処理装置３５ｄ、入力インタフェース３５ｅ、及び通信インタフェース３５ｆが接続されている。
ＲＡＭ３５ｂには、ＣＰＵ３５ａに実行させるＯＳ（Ｏｐｅｒａｔｉｎｇ  Ｓｙｓｔｅｍ）のプログラムや端末装置１０に各種情報を提供するアプリケーションプログラムの少なくとも一部が一時的に格納される。また、ＲＡＭ３５ｂには、ＣＰＵ３５ａによる処理に必要な各種データが保存される。ＨＤＤ３５ｃには、ＯＳや情報を提供するアプリケーションプログラム等が格納される。
グラフィック処理装置３５ｄには、モニタ３５ｈが接続されている。グラフィック処理装置３５ｄは、ＣＰＵ３５ａからの命令に従って、画像をモニタ３５ｈの表示画面に表示させる。入力インタフェース３５ｅには、キーボード３５ｉと、マウス３５ｊとが接続されている。入力インタフェース３５ｅは、キーボード３５ｉやマウス３５ｊから送られてくる信号を、バス３５ｇを介してＣＰＵ３５ａに送信する。
通信インタフェース３５ｆは、ネットワーク３０に接続されている。通信インタフェース３５ｆは、ネットワーク３０を介して端末装置１０、各種サーバと通信を行う。
なお、ＣＤタイトル情報提供サーバ３１、放送局サーバ３２、音楽配信サーバ３３、ＣＤショップサーバ３４も図１１と同様のハードウェアブロックで実現できる。
次に、端末装置１０における顧客情報のやり取りについて説明する。ユーザは、各サーバのサービスを受けるのに各サーバに対しユーザ登録をしなければならない。ユーザは、端末装置１０よりユーザ登録に必要な顧客情報を入力してサーバに送信し、ユーザＩＤ、パスワードを取得する。このとき、ユーザは、端末装置１０に端末ＩＤを入力しなければならい。端末ＩＤは、ユーザが複数の端末装置を所有している場合に、各端末装置を識別するための識別子で、ユーザによって入力される。端末ＩＤは、ＣＰＵ１１によってサーバに送信され登録されると共にＲＯＭ１３又はＨＤＤ２１に記憶される。サーバは、端末ＩＤによってユーザが使用している端末装置を識別し情報を送受信する。以下では、ユーザは、総合サービスサーバ３５が提供するサービスにユーザ登録し、顧客情報を登録しているとする。そして、ユーザは、新たにＣＤタイトル情報提供サーバ３１が提供するサービスにユーザ登録するとする。
ＣＰＵ１１は、ユーザが総合サービスサーバ３５にユーザ登録したときに取得したパスワード、ユーザＩＤを操作入力部１５、入力処理部１４を介して受け付ける。また、ＣＰＵ１１は、総合サービスサーバ３５にユーザ登録したときの端末ＩＤをＲＯＭ１３又はＨＤＤ２１から取得する。
ＣＰＵ１１は、受け付けたパスワード、ユーザＩＤ、及び取得した端末ＩＤを、サービスを受けることを要求する要求信号と共に、新たにサービスを受けようとするＣＤタイトル情報提供サーバ３１に送信する。
ＣＰＵ１１は、パスワード、ユーザＩＤ、端末ＩＤ、及び要求信号を送信したことにより、ＣＤタイトル情報提供サーバ３１からユーザ登録に必要な顧客情報をネットワークインタフェース２３、通信処理部２２を介して受信する。顧客情報は、例えば、ユーザの氏名、年齢、住所である。
ＣＰＵ１１は、すでに総合サービスサーバ３５に登録されているユーザの顧客情報が、ＣＤタイトル情報提供サーバ３１のユーザ登録に必要とする顧客情報と重複している場合、総合サービスサーバ３５から重複した顧客情報を受信する。ＣＰＵ１１は、ユーザ登録に必要とする顧客情報と重複した顧客情報とを、表示処理部１６を介し表示装置１７に表示する。これにより、ユーザは、表示装置１７に表示されていないユーザ登録に必要とする顧客情報のみを入力すればよい。
ＣＰＵ１１は、総合サービスサーバ３５から受信したユーザの顧客情報と、新たに入力された顧客情報とを通信処理部２２、ネットワークインタフェース２３を介してＣＤタイトル情報提供サーバ３１に送信する。
これにより、ＣＰＵ１１は、ＣＤタイトル情報提供サーバ３１のサービスの登録に必要な顧客情報のうち、総合サービスサーバ３５に登録されていた顧客情報内に含まれているものを、表示装置１７の入力画面に表示させるので、ユーザに対して、残りの顧客情報のみを入力すればよく、顧客情報の入力を簡単にすることができる。
また、端末装置１０は、１度登録すればその後の顧客情報の入力が簡単になることから、文字入力の操作キーを備えたキーボードが不要で、必要な操作キーを備えたリモートコントローラ４０や筐体に設けられた操作キーで十分である。
なお、総合サービスサーバ３５とＣＤタイトル情報提供サーバ３１との顧客情報のやり取りを説明したが、図７で示した他のサーバ同士においても同じようにして顧客情報のやり取りを行うことができる。
また、各サービスを提供するサーバが、共通の顧客情報を入力するための画面データを持つようにしてもよい。各サーバは、自己が持っているユーザの顧客情報をその画面の顧客情報を入力する部分に格納し、端末装置１０に送信する。端末装置１０は、サーバから送られてくる画像データを受信して表示装置１７に表示する。表示装置１７には、すでにサーバに登録されている顧客情報は表示されるので、ユーザは、新たに必要とする顧客情報のみを入力すればよい。
また、ＣＰＵ１１は、ユーザがユーザ登録をしたときに入力した顧客情報を、ＲＯＭ１３又はＨＤＤ２１に記憶するようにしてもよい。ＣＰＵ１１は、ユーザが新たなサービスを受けようとするときに、ＲＯＭ１３又はＨＤＤ２１に記憶した顧客情報を表示装置１７に表示する。これによって、新たに入力を必要とする顧客情報のみをユーザは入力すればよくなり、顧客情報の入力を簡単にすることができる。
また、以上の説明では、総合サービスサーバ３５に登録されている顧客情報を端末装置１０に送信し、端末装置１０からＣＤタイトル情報提供サーバ３１に顧客情報を送信するようにしたが、端末装置１０を介さず、直接総合サービスサーバ３５からＣＤタイトル情報提供サーバ３１に送信するようにしてもよい。これは、例えば、総合サービスサーバ３５とＣＤタイトル情報提供サーバ３１が必要とする顧客情報が同じ場合に有効である。ただし、総合サービスサーバ３５は、端末装置１０に顧客情報の送信を行うことを通知し、ユーザの確認をとるようにする。これは、ユーザの知らないところで顧客情報がやり取りされることを防止するためである。ＣＰＵ１１は、総合サービスサーバ３５からの通知によって、表示装置１７に顧客情報の送信許可を受け付けるための画面を表示し、操作入力部１５、入力処理部１４を介してユーザから送信の可否を受け付ける。
また、ＣＰＵ１１は、表示装置１７に対して、全ての顧客情報を表示する必要はなく、ユーザが選択して入力画面に順番に住所電話番号の顧客情報を選択入力するようにしてもよい。
次に、サーバにおける顧客情報のやり取りについて説明する。ユーザは、総合サービスサーバ３５が提供するサービスにユーザ登録しているとする。そして、ユーザは、新たにＣＤタイトル情報提供サーバ３１が提供するサービスにユーザ登録するとする。なお、総合サービスサーバ３５のＨＤＤ３５ｃには、ユーザがユーザ登録したときの顧客情報が記憶されている。
ＣＤタイトル情報提供サーバ３１のＣＰＵは、端末装置１０から新たなサービスを受けることを要求する要求信号、総合サービスサーバ３５にユーザ登録したときのユーザＩＤ、パスワード、端末ＩＤを受信すると、ユーザ登録に必要な顧客情報を端末装置１０に送信する。
総合サービスサーバ３５のＣＰＵ３５ａは、端末装置１０からの要求に応じて、ＨＤＤ３５ｃに記憶していた、ＣＤタイトル情報提供サーバ３１が必要とする顧客情報と共通する顧客情報を、通信インタフェース３５ｆを介し端末装置１０に送信する。これによって、端末装置１０の表示装置１７には、ＣＤタイトル情報提供サーバ３１のユーザ登録に必要な顧客情報のうち、総合サービスサーバ３５の顧客情報に含まれているものは表示される。ユーザは、ＣＤタイトル情報提供サーバ３１のユーザ登録に必要な残りの顧客情報を入力し、送信すればよい。ＣＤタイトル情報提供サーバ３１は、端末装置１０から顧客情報を受信し、ＨＤＤ３５ｃに記憶する。
なお、総合サービスサーバ３５とＣＤタイトル情報提供サーバ３１との顧客情報のやり取りを説明したが、図７で示した他のサーバ同士でも同じようにして顧客情報のやり取りを行うことができる。
また、総合サービスサーバ３５とＣＤタイトル情報提供サーバ３１は、各々に記憶された顧客情報を定期的に更新する。例えば、一定期間ごとに、サーバ間で顧客情報を比較する。両サーバは、ユーザのユーザＩＤ、パスワード、端末ＩＤを互いに送受信して認証を行う。そして、一方のサーバに登録されていないユーザの顧客情報があれば、他方のサーバが、登録されている顧客情報を送信する。このとき、他方のサーバが、端末装置１０に対し顧客情報の更新を行うことを通知し、ユーザの確認をとるようにしてもよい。これは、ユーザの知らないところで顧客情報がやり取りされることを防止するためである。
次に、ユーザの許可を得て、一方のサーバから他方のサーバへ顧客情報をコピー（送信）する場合についてフローチャートを用いて説明する。図１２は、ユーザの許可を得て、一方のサーバから他方のサーバへ顧客情報をコピーする処理の流れを示したフローチャートである。
まず、前提条件としてユーザは、総合サービスサーバ３５のサービスＡに登録しているとし、ユーザは新たに音楽配信サーバ３３のサービスＢに登録しようとしているとする。ユーザが登録を開始すると、ＣＰＵ１１は、表示装置１７にコピー確認画面を表示する（ステップＳ１）。
図１３は、コピー確認画面を示した図である。コピー確認画面５０に示すように、表示装置１７には、コピー元となることができるサービスＡ，Ｄ，Ｆが表示されている。また、これらサービスに入会し登録されている顧客情報を、新たなサービスＢ（音楽配信サーバ３３）にコピーするか否かを問うボタン５０ａ，５０ｂが表示されている。ＣＰＵ１１は、ボタン５０ａ，５０ｂが押下されることにより（例えば、リモートコントローラ４０の方向キー４１ａ〜４１ｄによって画面上のカーソルが合わせられ、決定キー４２が押下される）、顧客情報をコピーするかどうかを受け付ける（ステップＳ２）。
ステップＳ２においてユーザからコピーしないと受け付けた場合、すなわち、ボタン５０ｂが押下された場合、ＣＰＵ１１は、例えば、リモートコントローラ４０を介しユーザから直接顧客情報を受け付ける（ステップＳ６）。
ステップＳ２においてユーザからコピーすると受け付けた場合、すなわち、ボタン５０ａが押下された場合、ＣＰＵ１１は、ユーザに顧客情報のコピー元となるサービスを選択させる（ステップＳ３）。ＣＰＵ１１は、選択されたサービス（今回の例ではサービスＡとする）のユーザＩＤを受け付け、サービスＡを提供する総合サービスサーバ３５に送信する（ステップＳ４）。コピー元であるサービスＡを提供する総合サービスサーバ３５は、ユーザＩＤに対応する顧客情報を、コピー先であるサービスＢを提供する音楽配信サーバ３３へコピーする（ステップＳ５）。これによりユーザ登録完了となる。これによりユーザが新しく顧客情報を入力する手間を省くことが可能となる。
次に、サーバに登録されている顧客情報を端末装置に送信して表示装置１７に表示し、顧客情報の入力支援を行う場合についてフローチャートを用いて説明する。図１４は、顧客情報の入力支援の処理の流れを示したフローチャートである。
まず、前提条件としてユーザは、総合サービスサーバ３５のサービスにユーザ登録をしているとし、ユーザは新たに音楽配信サーバ３３のサービスに登録しようとしているとする。ユーザ登録を開始すると最初にペースト確認画面が表示される（ステップＳ１１）。
図１５は、ペースト確認画面を示した図である。コピー確認画面５１に示すように、表示装置１７には、現在サービスに登録している顧客情報を端末装置１０にロードしてペースト（顧客情報を表示）するか否かを問う表示がされる。また、ペーストするか否かを問うボタン５１ａ，５１ｂが表示される。ＣＰＵ１１は、ボタン５１ａ，５１ｂが押下されることにより、顧客情報をペーストするか否かを受け付ける（ステップＳ１２）。
ステップＳ１２においてユーザからペーストしないと受け付けた場合、すなわち、ボタン５１ｂが押下された場合、ＣＰＵ１１は、表示装置１７にユーザから直接顧客情報を受け付けるための画面を表示し、顧客情報を受け付ける（ステップＳ１５）。
ステップＳ１２においてユーザからペーストすると受け付けた場合、すなわち、ボタン５１ａが押下された場合、ＣＰＵ１１は、ユーザから総合サービスサーバ３５に登録したユーザＩＤを受け付け、総合サービスサーバ３５に送信する（ステップＳ１３）。総合サービスサーバ３５は、ユーザＩＤに対応する顧客情報を端末装置１０に送信する。
端末装置１０は、総合サービスサーバ３５から顧客情報を受信し、表示装置１７に表示（ペースト）する（ステップＳ１４）。
これによりユーザの顧客情報を入力する手間を省くことができ、さらに、ユーザの意思も確認しているため、各種サービスを提供するサーバ、端末装置１０と共に顧客情報管理上の問題の発生を防止することができる。
なお、総合サービスサーバ３５にユーザ登録したときの顧客情報を端末装置１０のＲＯＭ１３又はＨＤＤ２１に記憶しておき、ＲＯＭ１３又はＨＤＤ２１に記憶した顧客情報を表示装置１７の画面に表示するようにしてもよい。
次にサービスのコラボレーションについて説明する。図１６は、サービスのコラボレーションを説明する図である。図に示す総合サービスサーバ３５とＣＤタイトル情報提供サーバ３１は、ユーザＩＤ、パスワード、端末ＩＤのユーザ識別情報及び顧客情報を共有することが可能となっている。ユーザ識別情報及び顧客情報を有してないサーバは、ユーザからユーザ識別情報を受信することにより、ユーザ識別情報及び顧客情報を有するサーバから、受信したユーザ識別情報に対応する顧客情報を参照できるようになっている。
例えば、端末装置１０を使用するユーザは、総合サービスサーバ３５にユーザ登録しているとする。ユーザがＣＤタイトル情報提供サーバ３１のサービスを新たに受けるには、総合サービスサーバ３５にユーザ登録したときのユーザＩＤを、端末装置１０からＣＤタイトル情報提供サーバ３１に送信する。ＣＤタイトル情報提供サーバ３１は、ユーザＩＤを受信すると、総合サービスサーバ３５に登録されている、受信したユーザＩＤに対応する顧客情報を参照する。これによって、ユーザは、ＣＤタイトル情報提供サーバ３１のサービスを受けることが可能となる。
このように、総合サービスサーバ３５とＣＤタイトル情報提供サーバ３１がユーザ識別情報、顧客情報を共有できるようにすることにより、ユーザは、顧客情報を入力することなく新たにＣＤタイトル情報提供サーバ３１のサービスを受けることができる。
なお、図１６では、総合サービスサーバ３５とＣＤタイトル情報提供サーバ３１について説明したが、図７で示した各種サーバ間においても、ユーザ識別情報、顧客情報を共有できるようにすることにより、ユーザは、顧客情報を入力することなく様々なサービスを受けることが可能となる。
（３）第３の実施の形態
次いで以下には、本発明による第３の実施の形態について詳述する。
かかる第３の実施の形態では、音楽に関する各種サービスを提供可能な音楽関連サービス提供システムにおいて、この音楽関連サービス提供システムの運営業者と契約しているユーザのクライアント端末が、インターネット等のネットワークを介して、そのクライアント端末を管理するポータルサーバの管理のもとに、音楽データ配信サーバ等の各種サーバの提供する音楽に関する各種サービスを受けることができるようになされている。
なお、この第３の実施の形態において、クライアント端末は、第１の実施の形態において上述した端末３００や、第２の実施の形態において上述した端末装置１０に対応している。
またポータルサーバは、第１の実施の形態において上述した情報管理サーバ３１０や、第２の実施の形態において上述した総合サービスサーバ３５に対応している。
さらに音楽に関する各種サービスを提供可能な音楽データ配信サーバ等の各種サーバは、第１の実施の形態において上述したサービス事業者サーバ３２０や、第２の実施の形態において上述した音楽配信サーバ３３に対応している。
因みに音楽データ配信サーバは、音楽に関する各種サービスとして、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末に配信する音楽データ配信サービスを提供可能である。
ここでまずクライアント端末の機能回路ブロックによるハードウェア構成を説明する。図１７に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークに接続し、当該ネットワーク上のポータルサーバやその音楽データ配信サーバ等の各種サーバにアクセスすることができ、これによりポータルサーバやその他各種サーバとの間で各種情報や各種データを送受信する。
エンコーダ／デコーダ部１０３４は、ネットワークからネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンンデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークからネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークからネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  Ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワーク上のポータルサーバやその他サーバに対し認証情報を通信制御部１０３２及びネットワークインタフェース１０３３を順次介して送信する等の認証処理を実行する。
認証情報記憶部１０３８は、認証処理部１０３７がポータルサーバやその他サーバに対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ（図示せず）に送信する。
その結果、ラジオ放送表示制御部１０３９は、ネットワーク上のラジオ放送情報配信サーバから送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
ところでかかる構成のクライアント端末１００２の制御部１０２３は、記憶媒体１０２９に対して記憶するコンテンツデータを、図１８に示すディレクトリ構成で管理するようになされている。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
次に、図１９を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２や音楽データ配信サーバ１００４と各種情報を送受信する。
顧客データベース部１０５４には、音楽関連サービス提供システムの運営業者とすでに契約を完了しているユーザのユーザＩＤ（Ｉｄｅｎｔｉｆｉｃａｔｉｏｎ）情報とパスワード情報とが対応付けられて顧客情報として登録されている。
ページ情報記憶部１０５５には、音楽関連サービス提供システムの運営業者が管理するページ情報等が記憶されている。
なおページ情報は、ＸＭＬ等の言語によって記述されており、音楽データ配信サーバ１００４等の各種サーバにアクセスするためのＵＲＬ（Ｕｎｉｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ等の各種サーバからユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ等の各種サーバから受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ等の各種サーバに返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
次に、図２０を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システムの運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
次に図２１乃至図２６に示すシーケンスチャートを用いて、クライアント端末１００２とポータルサーバ１００３との間で実行される処理や、クライアント端末１００２と音楽データ配信サーバ１００４等の各種サーバとの間で実行される処理の概要を説明する。
まず図２１を用いて、クライアント端末１００２とポータルサーバ１００３との間で実行されるユーザ認証処理手順について説明する。
音楽関連サービス提供システムの運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システムの運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信されたユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信されたその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、クライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４等の各種サーバへのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信された、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
次に、図２２において、クライアント端末１００２と、音楽データ配信サーバ１００４等の各種サーバとの間で実行するユーザ認証処理について以下に説明する。
この場合、かかるユーザ認証処理としては、クライアント端末１００２が図２１について上述したようにポータルサーバ１００３からページ情報を一旦取得し、引き続きそのページ情報に埋め込まれたリンクにより音楽データ配信サーバ１００４等の各種サーバにアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４等の各種サーバに直接アクセスして実行されるユーザ認証処理（以下、これを直接アクセス認証処理と呼ぶ）もある。
ただし間接アクセス認証処理については、クライアント端末１００２と、音楽データ配信サーバ１００４等の各種サーバとが何れの組合せであっても同様の手順で実行することができる。
また直接アクセス認証処理についても、クライアント端末１００２と、音楽データ配信サーバ１００４等の各種サーバとが何れの組合せであっても同様の手順で実行することができる。
そして間接アクセス認証処理及び直接アクセス認証処理では、クライアント端末１００２において音楽データ配信サーバ１００４等の各種サーバへのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４等の各種サーバとがユーザ認証処理等の各種処理の実行用に通信接続する毎に、個々の通信接続状態（すなわち、セッション）の識別用として、クライアント端末１００２がアクセスした音楽データ配信サーバ１００４等の各種サーバによって発行される識別情報である。
なおかかるサービスセッションＩＤ情報については、上述した認証セッションＩＤ情報と同様に、ユーザ認証処理等に利用するうえで音楽データ配信サーバ１００４等の各種サーバによる発行時点を基準とした所定の有効期限（例えば１分程度）が設定されている。
従って音楽データ配信サーバ１００４等の各種サーバからサービスセッションＩＤ情報を取得したクライアント端末１００２は、そのサービスセッションＩＤ情報を有効期限以内に発行元の音楽データ配信サーバ１００４等の各種サーバに対して提示することができない場合、これら発行元の音楽データ配信サーバ１００４等の各種サーバにより、当該サービスセッションＩＤ情報で特定される通信接続状態が切断されたと判断される。
これにより音楽データ配信サーバ１００４等の各種サーバは、過去に発行したサービスセッションＩＤ情報が、音楽関連サービス提供システムの運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４等の各種サーバとが以前にユーザ認証処理等の実行用に通信接続したとき、そのアクセス先の音楽データ配信サーバ１００４等の各種サーバによって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信されたサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信されたユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信された認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
次に、図２３に示すシーケンスチャートを用いて、クライアント端末１００２が、音楽データ配信サーバ１００４に対して、当該クライアント端末１００２を利用するユーザの登録情報を登録する際の第１の情報登録処理手順について説明する。
なおポータルサーバ１００３の制御部１０５０は、かかる第１の情報登録処理手順の実行に先立ち、クライアント端末１００２を利用するユーザに対する氏名、住所、電話番号、メールアドレス、パスワードのような個人情報等の種々の情報からなる登録情報を顧客データベース部１０５４に登録することにより、当該登録情報の登録が完了したユーザに対しポータルサーバ１００３の利用を許可している。すなわちクライアント端末１００２を利用するユーザに対して、ポータルサーバ１００３からのサービスを受けることができるようにしている。
ステップＳＰ１１００において、クライアント端末１００２の制御部１０２３は、例えば表示部１０２５に表示した音楽データ配信サーバ１００４の管理するトップページの一部を選択する制御コマンドが入力処理部１０２１から入力されると、ユーザに対してその音楽データ配信サーバ１００４からの音楽データ配信サービスを受けることを可能にするうえで当該ユーザの登録情報の登録に用いる情報登録画面を取得要求する登録画面取得要求信号を生成する。
そして制御部１０２３は、その登録画面取得要求信号を、すでに音楽データ配信サーバ１００４で発行され認証情報記憶部１０３８に一時記憶されているサービスセッションＩＤ情報等と共に通信制御部１０３２及びネットワークインタフェース１０３３を順次介して音楽データ配信サーバ１００４に送信する。
ステップＳＰ１１０１において、音楽データ配信サーバ１００４の制御部１０７０は、クライアント端末１００２から送信された登録画面取得要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用するユーザが正規ユーザであると認証されると、その認証処理部１０７５により、クライアント端末１００２に対し発行していたサービスセッションＩＤ情報等の有効期限を延長させて、次のステップＳＰ１１０２に移る。
ステップＳＰ１１０２において、制御部１０７０は、例えば顧客データベース部１０７４又はページ情報記憶部１０７６に記憶している情報登録画面の情報登録画面データを、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１１０３において、クライアント端末１００２の制御部１０２３は、音楽データ配信サーバ１００４から送信された情報登録画面データと、有効期限の延長されたサービスセッションＩＤ情報等とをネットワークインタフェース１０３３及び通信制御部１０３２を順次介して受信する。
そして制御部１０２３は、その音楽データ配信サーバ１００４から受信したサービスセッションＩＤ情報等を認証処理部１０３７に送出する。
これにより認証処理部１０３７は、制御部１０２３の制御のもと、認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
また制御部１０２３は、音楽データ配信サーバ１００４から受信した情報登録画面データを表示制御部１０２４を介して表示部１０２５に送出することにより当該表示部１０２５にその情報登録画面データに基づく情報登録画面を表示させ、次のステップＳＰ１１０４に移る。
因みに、このとき表示部１０２５に表示された情報登録画面内の複数の入力欄には、ユーザの登録情報を構成する種々の情報が何ら入力されていない。
ステップＳＰ１１０４において、クライアント端末１００２の制御部１０２３は、当該クライアント端末１００２を利用するユーザを特定可能で（すなわち、ユーザＩＤ情報等のユーザを特定可能な情報を格納している）、かつ表示部１０２５に表示させた情報登録画面に対しユーザの登録情報の入力支援を要求する入力支援要求信号を生成する。
そして制御部１０２３は、その入力支援要求信号を、すでにポータルサーバ１００３で発行され認証情報記憶部１０３８に対して一時記憶されている認証セッションＩＤ情報等と共に通信制御部１０３２及びネットワークインタフェース１０３３を順次介してポータルサーバ１００３に送信する。
ステップＳＰ１１０５において、ポータルサーバ１００３の制御部１０５０は、クライアント端末１００２から送信された入力支援要求信号と、認証セッションＩＤ情報等とをネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、例えばクライアント端末１００２から受信した認証セッションＩＤ情報等が有効期限内のものであり、認証処理部１０５６により、当該クライアント端末１００２を利用するユーザが正規ユーザであると認証されると、次のステップＳＰ１１０６に移る。
ステップＳＰ１１０６において、制御部１０５０は、クライアント端末１００２から受信した入力支援要求信号に基づいて、顧客データベース部１０５４内の複数の登録情報の中から、登録情報の入力支援を要求したユーザの登録情報を検索する。
また制御部１０５０は、認証処理部１０５６により、クライアント端末１００２に対して発行していた認証セッションＩＤ情報等の有効期限を延長させて、次のステップＳＰ１１０７に移る。
ステップＳＰ１１０７において、制御部１０５０は、その検索した登録情報を、認証処理部１０５６により有効期限を延長させた認証セッションＩＤ情報等と共に通信制御部１０５２及びネットワークインタフェース１０５３を順次介してクライアント端末１００２に返信する。
ステップＳＰ１１０８において、クライアント端末１００２の制御部１０２３は、ポータルサーバ１００３から送信された登録情報と、有効期限の延長された認証セッションＩＤ情報等とをネットワークインタフェース１０３３及び通信制御部１０３２を順次介して受信する。
そして制御部１０２３は、表示部１０２５に表示させている情報登録画面内の各入力欄に対して、ポータルサーバ１００３から受信した登録情報を構成する種々の情報を自動入力して、次のステップＳＰ１１０９に移る。
因みにかかるステップＳＰ１１０８において、制御部１０２３は、ポータルサーバ１００３から受信した認証セッションＩＤ情報等を認証処理部１０３７に送出している。これにより認証処理部１０３７は、制御部１０２３の制御のもと、認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
ステップＳＰ１１０９において、制御部１０２３は、情報登録画面内の各入力欄に対しそれぞれ情報を自動入力してもその情報登録画面内に未入力の入力欄が存在するとき、当該情報登録画面上でその未入力の入力欄に対し情報が手入力され、当該手入力された情報を示す文字列に対応する制御コマンドが入力処理部１０２１から入力されることにより、当該情報登録画面内の入力欄に対する情報の入力が完了すると、その情報登録画面内の各入力欄に対し入力の完了した種々の情報をまとめて、音楽データ配信サーバ１００４に対する登録用の登録情報とする。
そして制御部１０２３は、かかる登録情報を、上述のステップＳＰ１１０３で音楽データ配信サーバ１００４から受信して認証情報記憶部１０３８に対し一時記憶されたサービスセッションＩＤ情報等と共に通信制御部１０３２及びネットワークインタフェース１０３３を順次介して音楽データ配信サーバ１００４に送信する。
ステップＳＰ１１１０において、音楽データ配信サーバ１００４の制御部１０７０は、クライアント端末１００２から送信された登録情報と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用するユーザが正規ユーザであると認証されると、次のステップＳＰ１１１１に移る。
ステップＳＰ１１１１において、制御部１０７０は、クライアント端末１００２から受信した登録情報を顧客データベース部１０７４に登録することにより当該顧客データベース部１０７４に対する登録内容を更新して、次のステップＳＰ１１１２に移る。
ステップＳＰ１１１２において、制御部１０７０は、認証処理部１０７５により、クライアント端末１００２に対して発行していたサービスセッションＩＤ情報等の有効期限を延長させる。
そして制御部１０７０は、ユーザの登録情報の登録完了を示す登録完了画面データを、認証処理部１０７５により有効期限を延長させたサービスセッションＩＤ情報等と共に通信制御部１０７２及びネットワークインタフェース１０７３を順次介してクライアント端末１００２に返信する。
ステップＳＰ１１１３において、クライアント端末１００２の制御部１０２３は、音楽データ配信サーバ１００４から送信された登録完了画面データと、有効期限の延長されたサービスセッションＩＤ情報等とをネットワークインタフェース１０３３及び通信制御部１０３２を順次介して受信する。
そして制御部１０２３は、その音楽データ配信サーバ１００４から受信したサービスセッションＩＤ情報等を認証処理部１０３７に送出する。
これにより認証処理部１０３７は、制御部１０２３の制御のもと、認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
また制御部１０２３は、音楽データ配信サーバ１００４から受信した登録完了画面データを表示制御部１０２４を介して表示部１０２５に送出することにより当該表示部１０２５にその登録完了画面データに基づく登録完了画面を表示させる。
これにより制御部１０２３は、表示部１０２５に表示させた登録完了画面によりユーザに対し音楽データ配信サーバ１００４に対する登録情報の登録が完了したことを通知する。
次に図２３との対応部分に同一符号を付した図２４に示すシーケンスチャートを用いて、クライアント端末１００２が、音楽データ配信サーバ１００４に対して、当該クライアント端末１００２を利用するユーザの登録情報等を登録する際の第２の情報登録処理手順について説明する。
なおかかる第２の情報登録処理手順についてもポータルサーバ１００３の制御部１０５０は、予め、クライアント端末１００２を利用するユーザに対する登録情報を顧客データベース部１０５４に登録することにより、当該登録情報の登録が完了したユーザに対しポータルサーバ１００３の利用を許可している。すなわちクライアント端末１００２を利用するユーザに対して、ポータルサーバ１００３からのサービスを受けることができるようにしている。
この場合、第２の情報登録処理手順では、クライアント端末１００２及び音楽データ配信サーバ１００４が、上述のステップＳＰ１１００乃至ステップＳＰ１１０４と同様の処理を順次実行した後、ポータルサーバ１００３が上述のステップＳＰ１１０５と同様の処理を実行する。
そしてステップＳＰ１００５において、ポータルサーバ１００３の制御部１０５０は、認証処理部１０５６により、クライアント端末１００２を利用するユーザが正規ユーザであると認証されると、次のステップＳＰ１１２０に移る。
ステップＳＰ１１２０において、制御部１０５０は、音楽データ配信サーバ１００４を識別可能なショップコードを取得要求するショップコード要求信号を通信制御部１０５２及びネットワークインタフェース１０５３を順次介して音楽データ配信サーバ１００４に送信する。
ステップＳＰ１１２１において、音楽データ配信サーバ１００４の制御部１０７０は、ポータルサーバ１００３から送信されたショップコード要求信号をネットワークインタフェース１０７３及び通信制御部１０７２を順次介して受信する。
そして制御部１０７０は、かかるショップコード要求信号に応じて、自己の音楽データ配信サーバ１００４を識別可能なショップコードを通信制御部１０７２及びネットワークインタフェース１０７３を順次介してポータルサーバ１００３に送信する。
ステップＳＰ１１２２において、ポータルサーバ１００３の制御部１０５０は、音楽データ配信サーバ１００４から送信されたショップコードをネットワークインタフェース１０５３及び通信制御部１０５２を順次介して受信し、当該受信したショップコードを認証処理部１０５６に送出する。
認証処理部１０５６は、例えば認証情報記憶部１０５７に対し予め音楽データ配信サーバ１００４のショップコードを記憶している。
従って認証処理部１０５６は、制御部１０５０の制御のもと、音楽データ配信サーバ１００４から受信されたショップコードと、認証情報記憶部１０５７に予め記憶しているショップコードとを比較するようにしてショップコード認証処理を実行する。
その結果、認証処理部１０５６は、互いのショップコードが一致したことで、音楽データ配信サーバ１００４から受信されたショップコードを正規のショップコードであると認証すると、現在、ポータルサーバ１００３と通信している音楽データ配信サーバ１００４を音楽関連サービス提供システムに加わっている正規の音楽データ配信サーバ１００４であると判断する。
そして制御部１０５０は、認証処理部１０５６により、現在ポータルサーバ１００３と通信している音楽データ配信サーバ１００４がシステム１内の正規のサーバであると判断されると、次のステップＳＰ１１２３に移る。
ステップＳＰ１１２３において、制御部１０５０は、上述のステップＳＰ１１０５においてクライアント端末１００２から受信していた入力支援要求信号に基づいて、顧客データベース部１０５４内の複数の登録情報の中から、登録情報の入力支援を要求したユーザの登録情報を検索して、次のステップＳＰ１１２４に移る。
ステップＳＰ１１２４において、制御部１０５０は、その検索した登録情報を通信制御部１０５２及びネットワークインタフェース１０５３を順次介して音楽データ配信サーバ１００４に送信する。
ステップＳＰ１１２５において、音楽データ配信サーバ１００４の制御部１０７０は、ポータルサーバ１００３から送信された登録情報をネットワークインタフェース１０７３及び通信制御部１０７２を順次介して受信する。
そして制御部１０７０は、認証処理部１０７５により、クライアント端末１００２に対して発行していたサービスセッションＩＤ情報等の有効期限を延長させる。
これにより制御部１０７０は、ポータルサーバ１００３から受信した登録情報を、例えば顧客データベース部１０７４又はページ情報記憶部１０７６に予め記憶している情報登録画面データと、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１１２６において、クライアント端末１００２の制御部１０２３は、音楽データ配信サーバ１００４から送信された登録情報と、情報登録画面データと、有効期限の延長されたサービスセッションＩＤ情報等とをネットワークインタフェース１０３３及び通信制御部１０３２を順次介して受信する。
そして制御部１０２３は、音楽データ配信サーバ１００４から受信した登録情報と情報登録画面データとを表示制御部１０２４を介して表示部１０２５に送出する。
これにより制御部１０２３は、表示部１０２５にその情報登録画面データに基づく情報登録画面を、当該情報登録画面内の各入力欄に対して、音楽データ配信サーバ１００４から受信した登録情報を構成する種々の情報を自動入力した状態で表示して、次のステップＳＰ１１２７に移る。
因みにかかるステップＳＰ１１２６において、制御部１０２３は、音楽データ配信サーバ１００４から受信したサービスセッションＩＤ情報等を認証処理部１０３７に送出している。これにより認証処理部１０３７は、制御部１０２３の制御のもと、認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
なおかかるステップＳＰ１１２６では、クライアント端末１００２の制御部１０２３が情報登録画面内の各入力欄に対し、登録情報を構成する種々の情報を自動入力したが、これに限らず、上述のステップＳＰ１１２５において音楽データ配信サーバ１００４が情報登録画面内の各入力欄に対し、登録情報を構成する種々の情報を自動入力した状態でクライアント端末１００２に送信しても良い。
ステップＳＰ１１２７において、制御部１０２３は、情報登録画面内の各入力欄に対しそれぞれ情報を自動入力してもその情報登録画面内に未入力の入力欄が存在するとき、当該情報登録画面上でその未入力の入力欄に対し情報が手入力され、当該手入力された情報を示す文字列に対応する制御コマンドが入力処理部１０２１から入力されることにより、当該情報登録画面内の入力欄に対する情報の入力が完了すると、その情報登録画面内の各入力欄に対し入力の完了した種々の情報をまとめて、音楽データ配信サーバ１００４に対する登録用の登録情報とする。
そして制御部１０２３は、かかる登録情報を、上述のステップＳＰ１１２６で音楽データ配信サーバ１００４から受信して認証情報記憶部１０３８に対し一時記憶されたサービスセッションＩＤ情報等と共に通信制御部１０３２及びネットワークインタフェース１０３３を順次介して音楽データ配信サーバ１００４に送信する。
引き続き第２の情報登録処理手順では、音楽データ配信サーバ１００４及びクライアント端末１００２が、上述のステップＳＰ１１１０乃至ステップＳＰ１１１３と同様の処理を順次実行する。
これによりクライアント端末１００２の制御部１０２３は、上述の第１の情報登録処理手順と同様に、ステップＳＰ１１１３において表示部１０２５に表示させた登録完了画面によりユーザに対し音楽データ配信サーバ１００４に対する登録情報の登録が完了したことを通知する。
次に、図２３との対応部分に同一符号を付した図２５に示すシーケンスチャートを用いてクライアント端末１００２が、音楽データ配信サーバ１００４に対して、当該クライアント端末１００２を利用するユーザの登録情報等を登録する際の第３の情報登録処理手順について説明する。
ステップＳＰ１１４０において、クライアント端末１００２の制御部１０２３は、例えば表示部１０２５に表示したポータルサーバ１００３のページの一部を選択する制御コマンドが入力処理部１０２１から入力されると、ユーザに対してそのポータルサーバ１００３を利用可能にするうえで当該ユーザの登録情報の登録に用いる情報登録画面を取得要求する登録画面取得要求信号を生成する。
そして制御部１０２３は、その登録画面取得要求信号を、すでにポータルサーバ１００３で発行され認証情報記憶部１０３８に一時記憶されている認証セッションＩＤ情報等と共に通信制御部１０３２及びネットワークインタフェース１０３３を順次介してポータルサーバ１００３に送信する。
ステップＳＰ１１４１において、ポータルサーバ１００３の制御部１０５０は、クライアント端末１００２から送信された登録画面取得要求信号と、認証セッションＩＤ情報等とをネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２を利用するユーザが正規ユーザであると認証されると、その認証処理部１０５６により、クライアント端末１００２に対し発行していた認証セッションＩＤ情報等の有効期限を延長させて、次のステップＳＰ１１４２に移る。
ステップＳＰ１１４２において、制御部１０５０は、例えば顧客データベース部１０５４又はページ情報記憶部１０５５に記憶している情報登録画面の情報登録画面データを、認証処理部１０５６により有効期限を延長させた認証セッションＩＤ情報等と共に通信制御部１０５２及びネットワークインタフェース１０５３を順次介してクライアント端末１００２に送信する。
ステップＳＰ１１４３において、クライアント端末１００２の制御部１０２３は、ポータルサーバ１００３から送信された情報登録画面データと、有効期限の延長された認証セッションＩＤ情報等とをネットワークインタフェース１０３３及び通信制御部１０３２を順次介して受信する。
そして制御部１０２３は、そのポータルサーバ１００３から受信した認証セッションＩＤ情報等を認証処理部１０３７に送出する。
これにより認証処理部１０３７は、制御部１０２３の制御のもと、認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
また制御部１０２３は、ポータルサーバ１００３から受信した情報登録画面データを表示制御部１０２４を介して表示部１０２５に送出することにより当該表示部１０２５にその情報登録画面データに基づく情報登録画面を表示させ、次のステップＳＰ１１４４に移る。
因みに、このとき表示部１０２５に表示された情報登録画面内の複数の入力欄には、ユーザの登録情報を構成する種々の情報が何ら入力されていない。
ステップＳＰ１１４４において、クライアント端末１００２の制御部１０２３は、操作入力部１０２０に対する操作に応じて、ユーザの登録情報を構成する種々の情報を示す文字列に対応する制御コマンドが入力処理部１０２１から入力されると、当該入力された制御コマンドに応じて、情報登録画面内の各入力欄に対し登録情報を構成する種々の情報を入力して、次のステップＳＰ１１４５に移る。
ステップＳＰ１１４５において、制御部１０２３は、表示部１０２５に表示させた情報登録画面内の各入力欄に対し入力の完了した種々の情報をまとめて登録情報とし、当該登録情報を、ポータルサーバ１００３から受信して認証情報記憶部１０３８に対しすでに一時記憶している認証セッションＩＤ情報等と共に通信制御部１０３２及びネットワークインタフェース１０３３を順次介してポータルサーバ１００３に送信する。また制御部１０２３は、このときかかる登録情報を、記憶媒体１０２９等に記憶する。
ステップＳＰ１１４６において、ポータルサーバ１００３の制御部１０５０は、クライアント端末１００２から送信された登録情報と、認証セッションＩＤ情報等とをネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、例えばクライアント端末１００２から受信した認証セッションＩＤ情報が有効期限内のものであり、認証処理部１０５６により、当該クライアント端末１００２を利用するユーザが正規ユーザであると認証されると、次のステップＳＰ１１４７に移る。
ステップＳＰ１１４７において、制御部１０５０は、クライアント端末１００２から受信した登録情報を顧客データベース部１０５４に登録することにより当該顧客データベース部１０５４に対する登録内容を更新して、次のステップＳＰ１１４８に移る。
ステップＳＰ１１４８において、制御部１０５０は、認証処理部１０５６により、クライアント端末１００２に対して発行していた認証セッションＩＤ情報等の有効期限を延長させる。
そして制御部１０５０は、ユーザの登録情報の登録完了を示す登録完了画面データを、認証処理部１０５６により有効期限を延長させた認証セッションＩＤ情報等と共に通信制御部１０５２及びネットワークインタフェース１０５３を順次介してクライアント端末１００２に返信する。
ステップＳＰ１１４９において、クライアント端末１００２の制御部１０２３は、ポータルサーバ１００３から送信された登録完了画面データと、有効期限の延長された認証セッションＩＤ情報等とをネットワークインタフェース１０３３及び通信制御部１０３２を順次介して受信する。
そして制御部１０２３は、ポータルサーバ１００３から受信した登録完了画面データを表示制御部１０２４を介して表示部１０２５に送出することにより当該表示部１０２５にその登録完了画面データに基づく登録完了画面を表示させる。
これにより制御部１０２３は、表示部１０２５に表示させた登録完了画面によりユーザに対し、ポータルサーバ１００３に対する登録情報の登録が完了したことを通知して、次のステップＳＰ１１５０に移る。
ステップＳＰ１１５０において、制御部１０２３は、音楽データ配信サーバ１００４に対するユーザの登録情報の登録要求を示す制御コマンドが入力処理部１０２１から入力されると、ユーザに対してその音楽データ配信サーバ１００４を利用可能にするうえで当該ユーザの登録情報の登録に用いる情報登録画面を取得要求する登録画面取得要求信号を生成する。
そして制御部１０２３は、その登録画面取得要求信号を、すでに音楽データ配信サーバ１００４で発行され認証情報記憶部１０３８に一時記憶されているサービスセッションＩＤ情報等と共に通信制御部１０３２及びネットワークインタフェース１０３３を順次介して音楽データ配信サーバ１００４に送信する。
ステップＳＰ１１５１において、音楽データ配信サーバ１００４の制御部１０７０は、クライアント端末１００２から送信された登録画面取得要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用するユーザが正規ユーザであると認証されると、その認証処理部１０７５により、クライアント端末１００２に対し発行していたサービスセッションＩＤ情報等の有効期限を延長させて、次のステップＳＰ１１５２に移る。
ステップＳＰ１１５２において、制御部１０７０は、例えば顧客データベース部１０７４又はページ情報記憶部１０７６に記憶している情報登録画面の情報登録画面データを、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１１５３において、クライアント端末１００２の制御部１０２３は、音楽データ配信サーバ１００４から送信された情報登録画面データと、有効期限の延長されたサービスセッションＩＤ情報等とをネットワークインタフェース１０３３及び通信制御部１０３２を順次介して受信する。
このとき制御部１０２３は、その音楽データ配信サーバ１００４から受信したサービスセッションＩＤ情報等を認証処理部１０３７に送出する。これにより認証処理部１０３７は、制御部１０２３の制御のもと、認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
また制御部１０２３は、音楽データ配信サーバ１００４から受信した情報登録画面データを表示制御部１０２４を介して表示部１０２５に送出することにより当該表示部１０２５にその情報登録画面データに基づく情報登録画面を表示させる。
そして制御部１０２３は、表示部１０２５に表示させた情報登録画面内の各入力欄に対して、上述のステップＳＰ１１４５において記憶媒体１０２９等に記憶していた登録情報を構成する種々の情報を自動入力して表示し、次のステップＳＰ１１５４に移る。
ステップＳＰ１１５４において、制御部１０２３は、情報登録画面内の各入力欄に対しそれぞれ情報を自動入力してもその情報登録画面内に未入力の入力欄が存在するとき、当該情報登録画面上でその未入力の入力欄に対し情報が手入力され、当該手入力された情報を示す文字列に対応する制御コマンドが入力処理部１０２１から入力されることにより、当該情報登録画面内の入力欄に対する情報の入力が完了すると、その情報登録画面内の各入力欄に対し入力の完了した種々の情報をまとめて、音楽データ配信サーバ１００４に対する登録用の登録情報とする。
そして制御部１０２３は、かかる登録情報を、上述のステップＳＰ１１５３で音楽データ配信サーバ１００４から受信して認証情報記憶部１０３８に対し一時記憶されたサービスセッションＩＤ情報等と共に通信制御部１０３２及びネットワークインタフェース１０３３を順次介して音楽データ配信サーバ１００４に送信する。
引き続き第３の情報登録処理手順では、音楽データ配信サーバ１００４及びクライアント端末１００２が、上述のステップＳＰ１１１０乃至ステップＳＰ１１１３と同様の処理を順次実行する。
これによりクライアント端末１００２の制御部１０２３は、上述の第１の情報登録処理手順と同様に、ステップＳＰ１１１３において表示部１０２５に表示させた登録完了画面によりユーザに対し音楽データ配信サーバ１００４に対する登録情報の登録が完了したことを通知する。
次に、図２３との対応部分に同一符号を付した図２６に示すシーケンスチャートを用いて、クライアント端末１００２が、音楽データ配信サーバ１００４に対して、当該クライアント端末１００２を利用するユーザの登録情報を登録する際の第４の情報登録処理手順について説明する。
なおポータルサーバ１００３の制御部１０５０は、上述の第１及び第２の情報登録処理手順と同様に、クライアント端末１００２を利用するユーザの登録情報を顧客データベース部１０５４に登録することにより、当該登録情報の登録が完了したユーザに対しポータルサーバ１００３の利用を許可した状態で、かかる第４の情報登録処理手順を実行している。
ステップＳＰ１１６０において、クライアント端末１００２の制御部１０２３は、例えば表示部１０２５に表示した、音楽データ配信サーバ１００４の管理するトップページの一部を選択する制御コマンドが入力処理部１０２１から入力されると、ユーザに対してその音楽データ配信サーバ１００４を利用可能にするうえで当該ユーザの登録情報の登録に用いる情報登録画面を取得要求する登録画面取得要求信号を生成する。
そして制御部１０２３は、その登録画面取得要求信号を、認証情報記憶部１０３８に対して記憶しているユーザＩＤ情報及びパスワード情報等と、すでに音楽データ配信サーバ１００４で発行され認証情報記憶部１０３８に対し一時記憶されているサービスセッションＩＤ情報等と共に通信制御部１０３２及びネットワークインタフェース１０３３を順次介して音楽データ配信サーバ１００４に送信する。
ステップＳＰ１１６１において、音楽データ配信サーバ１００４の制御部１０７０は、クライアント端末１００２から送信された登録画面取得要求信号と、ユーザＩＤ情報及びパスワード情報等と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用するユーザが正規ユーザであると認証されると、その認証処理部１０７５により、クライアント端末１００２に対し発行していたサービスセッションＩＤ情報等の有効期限を延長させて、次のステップＳＰ１１６２に移る。
ステップＳＰ１１６２において、制御部１０７０は、ポータルサーバ１００３に対してすでに登録されている、クライアント端末１００２を利用するユーザの登録情報を取得要求する登録情報取得要求信号を生成する。
そして制御部１０７０、かかる登録情報取得要求信号を、自己の音楽データ配信サーバ１００４を識別可能なショップコードと、クライアント端末１００２から受信していたユーザＩＤ情報及びパスワード情報等と共に通信制御部１０７２及びネットワークインタフェース１０７３を順次介してポータルサーバ１００３に送信する。
ステップＳＰ１１６３において、ポータルサーバ１００３の制御部１０５０は、音楽データ配信サーバ１００４から送信された登録情報取得要求信号と、ショップコードと、ユーザＩＤ情報及びパスワード情報等とをネットワークインタフェース１０５３及び通信制御部１０５２を順次介して受信し、当該受信したショップコードと、ユーザＩＤ情報及びパスワード情報等とを認証処理部１０５６に送出する。
認証処理部１０５６は、例えば認証情報記憶部１０５７に対し予め音楽データ配信サーバ１００４のショップコードを記憶している。
従って認証処理部１０５６は、まず制御部１０５０の制御のもと、音楽データ配信サーバ１００４から受信されたショップコードと、認証情報記憶部１０５７に予め記憶しているショップコードとを比較するようにしてショップコード認証処理を実行する。
その結果、認証処理部１０５６は、互いのショップコードが一致したことで、音楽データ配信サーバ１００４から受信されたショップコードを正規のショップコードであると認証すると、現在、ポータルサーバ１００３と通信している音楽データ配信サーバ１００４を音楽関連サービス提供システムに加わっている正規の音楽データ配信サーバ１００４であると判断する。
そして認証処理部１０５６は、ショップコードにより音楽データ配信サーバ１００４を認証すると、引き続き次のステップＳＰ１１６４において、制御部１０５０の制御のもと、音楽データ配信サーバ１００４から受信されたユーザＩＤ情報及びパスワード情報等と、顧客データベース部１０５４に対し登録されている顧客情報とを比較するようにしてユーザ認証処理を実行する。
その結果、制御部１０５０は、認証処理部１０５６により、音楽データ配信サーバ１００４に対し登録情報を登録要求したユーザが正規ユーザであると認証されると、次のステップＳＰ１１６５に移る。
ステップＳＰ１１６５において、制御部１０５０は、音楽データ配信サーバ１００４から受信した登録情報取得要求信号に応じて、ユーザＩＤ情報及びパスワード情報等に基づき、顧客データベース部１０５４内の複数の登録情報の中から、その音楽データ配信サーバ１００４に対して登録要求したユーザの登録情報（すなわち、ポータルサーバ１００３に対してすでに登録していたユーザの登録情報）を検索し、次のステップＳＰ１１６６に移る。
ステップＳＰ１１６６において、制御部１０５０は、その検索した登録情報を通信制御部１０５２及びネットワークインタフェース１０５３を順次介して音楽データ配信サーバ１００４に送信する。
ステップＳＰ１１６７において、音楽データ配信サーバ１００４の制御部１０７０は、ポータルサーバ１００３から送信された登録情報をネットワークインタフェース１０７３及び通信制御部１０７２を順次介して受信する。
そして制御部１０７０は、認証処理部１０７５により、クライアント端末１００２に対して発行していたサービスセッションＩＤ情報等の有効期限を延長させる。
これにより制御部１０７０は、ポータルサーバ１００３から受信した登録情報を、例えば顧客データベース部１０７４又はページ情報記憶部１０７６に予め記憶している情報登録画面データと、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１１６８において、クライアント端末１００２の制御部１０２３は、音楽データ配信サーバ１００４から送信された登録情報と、情報登録画面データと、有効期限の延長されたサービスセッションＩＤ情報等とをネットワークインタフェース１０３３及び通信制御部１０３２を順次介して受信する。
そして制御部１０２３は、音楽データ配信サーバ１００４から受信した登録情報と情報登録画面データとを表示制御部１０２４を介して表示部１０２５に送出する。
これにより制御部１０２３は、表示部１０２５にその情報登録画面データに基づく情報登録画面を、当該情報登録画面内の各入力欄に対して、音楽データ配信サーバ１００４から受信した登録情報を構成する種々の情報を自動入力した状態で表示して、次のステップＳＰ１１６９に移る。
因みにかかるステップＳＰ１１６８において、制御部１０２３は、音楽データ配信サーバ１００４から受信したサービスセッションＩＤ情報等を認証処理部１０３７に送出している。これにより認証処理部１０３７は、制御部１０２３の制御のもと、認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
なおかかるステップＳＰ１１６８では、クライアント端末１００２の制御部１０２３が情報登録画面内の各入力欄に対し、登録情報を構成する種々の情報を自動入力したが、これに限らず、上述のステップＳＰ１１６７において音楽データ配信サーバ１００４が情報登録画面内の各入力欄に対し、登録情報を構成する種々の情報を自動入力した状態でクライアント端末１００２に送信しても良い。
ステップＳＰ１１６９において、制御部１０２３は、情報登録画面内の各入力欄に対しそれぞれ情報を自動入力してもその情報登録画面内に未入力の入力欄が存在するとき、当該情報登録画面上でその未入力の入力欄に対し情報が手入力され、当該手入力された情報を示す文字列に対応する制御コマンドが入力処理部１０２１から入力されることにより、当該情報登録画面内の入力欄に対する情報の入力が完了すると、その情報登録画面内の各入力欄に対し入力の完了した種々の情報をまとめて、音楽データ配信サーバ１００４に対する登録用の登録情報とする。
そして制御部１０２３は、かかる登録情報を、上述のステップＳＰ１１６８で音楽データ配信サーバ１００４から受信して認証情報記憶部１０３８に対し一時記憶されたサービスセッションＩＤ情報等と共に通信制御部１０３２及びネットワークインタフェース１０３３を順次介して音楽データ配信サーバ１００４に送信する。
引き続き第４の情報登録処理手順では、音楽データ配信サーバ１００４及びクライアント端末１００２が、上述のステップＳＰ１１１０乃至ステップＳＰ１１１３と同様の処理を順次実行する。
これによりクライアント端末１００２の制御部１０２３は、上述の第１の情報登録処理手順と同様に、ステップＳＰ１１１３において表示部１０２５に表示させた登録完了画面によりユーザに対し、音楽データ配信サーバ１００４に対する登録情報の登録が完了したことを通知する。
以上の構成において、クライアント端末１００２は、直接又は音楽データ配信サーバ１００４経由でポータルサーバ１００３から、有効期限の設定された認証セッションＩＤ情報等を用いてユーザ認証されたうえで、すでに登録しているユーザの登録情報を取得する。
そしてクライアント端末１００２は、ポータルサーバ１００３から取得したユーザの登録情報を流用して音楽データ配信サーバ１００４に対する登録情報を生成し、その音楽データ配信サーバ１００４に対して、有効期限の設定されたサービスセッションＩＤ情報等を用いてユーザ認証されたうえで、当該生成した登録情報を登録する。
以上の構成によれば、クライアント端末１００２が、有効期限の設定された認証セッションＩＤ情報等やサービスセッションＩＤ情報等を用いてユーザ認証させたうえで、ポータルサーバ１００３からすでに登録している登録情報を取得し、当該取得した登録情報を流用して音楽データ配信サーバ１００４への登録用の登録情報を生成して、当該生成した登録情報を音楽データ配信サーバ１００４に登録するようにしたことにより、上述の第１及び第２の実施の形態と同様の効果を得ることができると共に、これに加えてポータルサーバ１００３に一度登録した登録情報が第三者に不当に利用されることをほぼ確実に防止して、音楽データ配信サーバ１００４に対しユーザの登録情報を登録ことができる。
またポータルサーバ１００３は、音楽データ配信サーバ１００４からユーザの登録情報が取得要求されたとき、ショップコードによりその音楽データ配信サーバ１００４を認証することにより、当該ユーザの登録情報が第三者に不当に利用されるとことを更に確実に防止することができる。
さらにクライアント端末１００２は、ポータルサーバ１００３に対する登録に使用した登録情報を記憶保持しておき、かかる登録情報を音楽データ配信サーバ１００４に対する登録に流用することにより、音楽データ配信サーバ１００４に対する登録情報の登録の際に、ポータルサーバ１００３との通信を行わなくてもよく、音楽データ配信サーバ１００４に対する登録情報の登録処理を大幅に簡略化することができる。
なおかかる第３の実施の形態では、第１乃至第４の情報登録処理手順によりクライアント端末１００２を利用するユーザの登録情報を音楽データ配信サーバ１００４に対して登録する場合について述べたが、これに限らず、かかる第１乃至第４の情報登録処理手順に従って、音楽データ配信サーバ１００４以外の他のサーバに対してユーザの登録情報を同様に登録することができる。
なお上述の第１乃至第４の情報登録処理手順について説明した、ポータルサーバ１００３及び音楽データ配信サーバ１００４に対し登録する登録情報は、第２の実施の形態について説明した各サーバ３１乃至３６に対しユーザ登録する顧客情報に対応する。
ところで図１０について上述したプログラムモジュールにおいてＨＴＴＰメッセージプログラム１１１及びコミュニケータプログラム１１２は、図１７について上述したクライアント端末１００２の通信制御部１０３２と同様の機能を実現可能なプログラムモジュールである。
またコンテンツ再生モジュール１１３は、図１７について上述したクライアント端末１００２のエンコーダ／デコーダ部１０３４と同様の機能を実現可能なプログラムモジュールである。
さらに著作権保護管理モジュール１１４は、図１７について上述したクライアント端末１００２の著作権管理部１０３５と同様の機能を実現可能なプログラムモジュールである。
さらにインターネットラジオ選局再生モジュール１１８は、図１７について上述したクライアント端末１００２の制御部１０２３及び音声制御部１０２６と同様の機能を実現可能なプログラムモジュールである。
さらに楽曲購入再生モジュール１１９は、図１７について上述したクライアント端末１００２の制御部１０２３及び音声制御部１０２６と同様の機能を実現可能なプログラムモジュールである。
さらにＸＭＬブラウザ１５１は、図１７について上述したクライアント端末１００２の入力処理部１０２１及びページ情報生成部１０３６と同様の機能を実現可能なプログラムモジュールである。
さらにハードディスクコンテンツコントローラ１１７及びデータベースアクセスモジュール１１５並びにコンテンツデータアクセスモジュール１１６は、図１７について上述したクライアント端末１００２の制御部１０２３と同様の機能を実現可能なプログラムモジュールである。
さらにライブラリ１３０の認証ライブラリ１３１は、図１７について上述したクライアント端末１００２の認証処理部１０３７及び認証情報記憶部１０３８と同様の機能を実現可能なプログラムモジュールである。
さらにライブラリ１３０のクリップライブラリ１３２は、図１７について上述したクライアント端末１００２の制御部１０２３と同様の機能を実現可能なプログラムモジュールである。
さらに関連情報表示モジュール１２０は、図１７について上述したクライアント端末１００２のラジオ放送表示制御部１０３９と同様の機能を実現可能なプログラムモジュールである。
さらにチューナ選局再生／録音モジュール１２１は、図１７について上述したクライアント端末１００２の制御部１０２３及び音声制御部１０２６並びにチューナ部１０３１と同様の機能を実現可能なプログラムモジュールである。
さらにオーディオユーザインタフェース１５２は、図１７について上述したクライアント端末１００２の入力処理部１０２１及び制御部１０２３並びに表示制御部１０２４と同様の機能を実現可能なプログラムモジュールである。
さらにＣＤ再生モジュール１４１は、図１７について上述したクライアント端末１００２の音声制御部１０２６及び外部記録媒体記録再生部１０２８と同様の機能を実現可能なプログラムモジュールである。
さらにＨＤＤ再生モジュール１４２は、図１７について上述したクライアント端末１００２の制御部１０２３及び音声制御部１０２６と同様の機能を実現可能なプログラムモジュールである。
従って図９について上述したハードウェア回路ブロックによるハードウェア構成の端末装置１０では、ＣＰＵ１１が上述の各種プログラムモジュールに従って、図１７について上述した機能回路ブロックによるハードウェア構成のクライアント端末１００２と同様の処理を実行することができる。
なお、上述の端末装置１０や各種サーバ３１乃至３６は、それぞれコンピュータで実現することができる。すなわち、コンピュータ構成の端末装置１０や各種サーバ３１乃至３６に対し、コンピュータが有すべき機能の処理内容を記述したプログラムを提供する。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリ等がある。磁気記録装置には、ハードディスク装置（ＨＤＤ）フレキシブルディスク（ＦＤ）、磁気テープ等がある。光ディスクには、ＤＶＤ（Ｄｉｇｉｔａｌ  Ｖｅｒｓａｔｉｌｅ  Ｄｉｓｃ）、ＤＶＤ−ＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）等がある。光磁気記録媒体には、ＭＯ（Ｍａｇｎｅｔｏ−Ｏｐｔｉｃａｌ  ｄｉｓｋ）等がある。
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
（４）他の実施の形態
なお上述の第３の実施の形態においては、クライアント端末１００２が受信可能な放送としてラジオ局から放送されるラジオ放送を適用するようにした場合について述べたが、本発明はこれに限らず、クライアント端末１００２がインターネットラジオ放送や衛星ラジオ放送を受信して、その関連情報及びラジオ放送情報を取得するようにしたり、あるいはテレビジョン放送局から放送されるテレビジョン放送を受信し、そのテレビジョン放送のテレビジョン番組に関する各種放送情報等をネットワークＮＴ１０００上のサーバから取得するようにしても良い。
また上述の第２及び第３の実施の形態においては、ハードウェア回路ブロック、機能回路ブロック及びプログラムモジュールをクライアント端末１００２に実装した場合について述べたが、本発明はこれに限らず、これらを携帯電話機やパーソナルコンピュータ等、クライアント端末１００２以外の種々の端末に実装するようにしてもよく、これらハードウェア回路ブロック、機能回路ブロック及びプログラムモジュールを実装した端末であれば、上述したクライアント端末１００２と同様の処理を実現することができる。
さらに上述の第１乃至第３の実施の形態においては、本発明による、顧客情報を送受信する通信システムを、図１乃至図２６について上述したネットワークシステムや、音楽関連サービス提供システムに適用するようにした場合について述べたが、本発明はこれに限らず、システムを構築する通信装置に対して、サービスを受けるためにユーザ登録するものであれば、この他種々の構成のシステムに広く適用することができる。
さらに上述の第１乃至第３の実施の形態においては、本発明による、第１のサービスを受けるためにユーザによって登録された第１の顧客情報を記憶する第１の通信装置を、図１乃至図２６について上述したサービス事業者サーバ３２０、ＣＤタイトル情報提供サーバ３１、放送局サーバ３２、音楽配信サーバ３３、ＣＤショップサーバ３４、インターネットラジオサーバ３６、音楽データ配信サーバ１００４の各種サーバに適用するようにした場合について述べたが、本発明はこれに限らず、サービスの提供のためにユーザ登録するものであれば、この他種々の第１の通信装置に広く適用することができる。
さらに上述の第１乃至第３の実施の形態においては、本発明による、第２のサービスを受けるためにユーザによって登録された第２の顧客情報を記憶する第２の通信装置を、図１乃至図２６について上述した情報管理サーバ３１０、総合サービスサーバ３５、ポータルサーバ１００３に適用するようにした場合について述べたが、本発明はこれに限らず、サービスの提供のためにユーザ登録するものであれば、この他種々の第２の通信装置に広く適用することができる。
さらに上述の第１乃至第３の実施の形態においては、本発明による、少なくとも上記第１の通信装置に接続された第３の通信装置を、図１乃至図２６について上述した端末３００、端末装置１０、クライアント端末１００２に適用するようにした場合について述べたが、本発明はこれに限らず、パーソナルコンピュータや携帯電話機、ネットワークに接続されたゲーム機器、同様にネットワークに接続されたハードディスクレコーダのような映像処理装置等の情報処理装置のように、この他種々の構成の第３の通信装置に広く適用することができる。
さらに上述の第１乃至第３の実施の形態においては、第１の通信装置に対する登録を要求する要求情報をユーザの識別情報と共に上記第１の通信装置に送信する送信手段として、図１乃至図２６について上述したＣＰＵ１１及び通信処理部２２や、制御部１０２３及び通信制御部１０３２を適用するようにした場合について述べたが、本発明はこれに限らず、通信システムに適用された通信方式に応じて、この他種々の送信手段を広く適用することができる。
さらに上述の第１乃至第３の実施の形態においては、要求情報に応じて、上記第１の通信装置に対するユーザ登録に必要な顧客情報を第１の通信装置から受信する受信手段として、図１乃至図２６について上述したＣＰＵ１１及び通信処理部２２や、制御部１０２３及び通信制御部１０３２を適用するようにした場合について述べたが、本発明はこれに限らず、通信システムに適用された通信方式に応じて、この他種々の受信手段を広く適用することができる。
さらに上述の第１乃至第３の実施の形態においては、第２の顧客情報内にすでにユーザ登録に必要な顧客情報が含まれているとき、ユーザ登録をする入力画面に第２の顧客情報内の顧客情報を表示する表示手段として、図１乃至図２６について上述したＣＰＵ１１や、制御部１０２３及び表示制御部１０２４を適用するようにした場合について述べたが、本発明はこれに限らず、音楽データ配信サーバ１００４の制御部１０７０等のような第１の通信装置の制御手段等のように、この他種々の表示手段を広く適用することができる。
さらに上述の第１乃至第３の実施の形態においては、第１のサービスのユーザ登録に必要な顧客情報が第２の顧客情報内に登録されているとき、ユーザからの許可に応じて第２の顧客情報内の顧客情報を第１の通信装置に転送する転送手段として、図１乃至図２６について上述したＣＰＵ１１及び通信処理部２２や、制御部１０２３及び通信制御部１０３２を適用するようにした場合について述べたが、本発明はこれに限らず、通信システムに適用された通信方式に応じて、この他種々の転送手段を広く適用することができる。
さらに上述の第１乃至第３の実施の形態においては、第２のサービスのユーザ登録のときに入力された顧客情報を記憶する記憶手段として、図１乃至図２６について上述したハードディスクドライブ２１や、ＲＡＭ２０、制御部１０２３及び記憶媒体１０２９を適用するようにした場合について述べたが、本発明はこれに限らず、この他種々の記憶手段を広く適用することができる。
さらに上述の第１乃至第３の実施の形態においては、サービス事業者サーバが情報登録画面を表示するための情報を生成する情報登録画面生成手段として、図１乃至図２６について上述した音楽データ配信サーバ１００４の制御部１０７０を適用するようにした場合について述べたが、本発明はこれに限らず、専用の情報登録画面生成部等のように、この他種々の情報登録画面生成手段を広く適用することができる。
さらに上述の第１乃至第３の実施の形態においては、端末装置を認証する認証手段として、図１乃至図２６について上述したＣＰＵ３５ａや、認証処理部１０５６を適用するようにした場合について述べたが、本発明はこれに限らず、この他種々の認証手段を広く適用することができる。
さらに上述の第１乃至第３の実施の形態においては、情報登録画面に反映された登録情報の修正と、情報登録画面に反映されなかった情報の入力とが可能とされた入力手段として、図１乃至図２６について上述した操作入力部１５及び１０２０を適用するようにした場合について述べたが、本発明はこれに限らず、タッチパネル等のように、この他種々の入力手段を広く適用することができる。
産業上の利用の可能性
本発明は、インターネット等のネットワークを介して提供されるサービスを利用可能なパーソナルコンピュータや携帯電話機、オーディオ機器等の端末と、当該端末のユーザを管理するネットワーク上のコンピュータ等の顧客管理サーバと、当該ネットワークを介して端末に各種サービスを提供するコンピュータ等のサービス提供サーバとから構築されるサービス提供システムに利用することができる。
【図１】
2005015421.tif 000003
【図２】
2005015421.tif 000004
【図３】
2005015421.tif 000005
【図４】
2005015421.tif 000006
【図５】
2005015421.tif 000007
【図６】
2005015421.tif 000008
【図７】
2005015421.tif 000009
【図８】
2005015421.tif 000010
【図９】
2005015421.tif 000011
【図１０】
2005015421.tif 000012
【図１１】
2005015421.tif 000013
【図１２】
2005015421.tif 000014
【図１３】
2005015421.tif 000015
【図１４】
2005015421.tif 000016
【図１５】
2005015421.tif 000017
【図１６】
2005015421.tif 000018
【図１７】
2005015421.tif 000019
【図１８】
2005015421.tif 000020
【図１９】
2005015421.tif 000021
【図２０】
2005015421.tif 000022
【図２１】
2005015421.tif 000023
【図２２】
2005015421.tif 000024
【図２３】
2005015421.tif 000025
【図２４】
2005015421.tif 000026
【図２５】
2005015421.tif 000027
【図２６】
2005015421.tif 000028
【国際調査報告】
2005015421.tif 000029
2005015421.tif 000030
2005015421.tif 000031
2005015421.tif 000032